(57)【要約】  ＭＳ（２）を無線収容する複数のＢＳ（３）を通信制御するＡＳＮ−ＧＷ（４）であって、マクロＢＳ（３Ａ）に設定するＰＧ＃１及び、フェムトＢＳ（３Ｂ）に設定するＰＧ＃２を管理するＰＧＩＤ管理テーブル（２３Ａ）と、ＭＳ（２）の現在位置のＰＧを識別するＰＧＩＤ及び、ＭＳ（２）が最後に位置登録したＢＳ（３）を識別するラストＢＳＩＤを管理する位置登録データベース（２３Ｂ）と、ＭＳ（２）宛のデータを受信すると、ＭＳ（２）の現在位置がＰＧ＃１の場合、ＰＧ＃１配下の全マクロＢＳ（３Ａ）を通じてページング情報を送信すると共に、ＭＳ（２）宛のデータを受信すると、ＭＳ（２）の現在位置がＰＧ＃２の場合、ラストＢＳＩＤに基づく、ＰＧ＃２配下のフェムトＢＳ（３Ｂ）を通じてページング情報を送信するＧＷ側制御部（２４）とを有し、無駄なページング情報の送信を回避することで、安定したページング制御を実現することができる。
2010044140.tif 000002
【特許請求の範囲】
【請求項１】
無線端末を無線収容する複数の無線基地局を通信制御する通信制御装置であって、
複数の無線基地局の内、通常基地局に設定する通常グループ及び、前記複数の無線基地局の内、前記通常基地局と異なる特定基地局に設定する特定グループを設定するグループ設定部と、
前記無線端末の現在位置に対応する前記無線基地局のグループを識別するグループ識別情報及び、前記無線端末が最後に位置登録した無線基地局を識別する最終基地局識別情報を前記無線端末毎に管理する位置登録管理部と、
前記無線端末宛のデータを受信すると、この無線端末に対応する前記グループ識別情報を前記位置登録管理部から取得し、取得したグループ識別情報が前記通常グループの場合、前記通常グループ内の全通常基地局を通じて前記無線端末のページング情報を送信すると共に、前記無線端末宛のデータを受信すると、前記無線端末に対応する前記グループ識別情報を前記位置登録管理部から取得し、取得したグループ識別情報が前記特定グループの場合、前記無線端末に対応する前記最終基地局識別情報を前記位置登録管理部から取得し、取得した最終基地局識別情報の特定基地局を通じて前記無線端末のページング情報を送信するページング制御部と
を有することを特徴とする通信制御装置。
【請求項２】
前記無線端末は、
現在位置する無線基地局を識別する基地局識別情報を検出し、この検出した基地局識別情報に基づき、この無線端末が新しい無線基地局に移動したことを検出し、
前記特定グループ内の前記無線基地局から同一特定グループ内の他の無線基地局への移動を検出した場合、位置登録要求を前記無線基地局に送信することを特徴とする請求項１記載の通信制御装置。
【請求項３】
前記グループ設定部は、
前記特定基地局に対して前記特定グループと同時に、この特定基地局と地理的に隣接する前記通常基地局の前記通常グループを設定し、
前記通信制御装置は、
前記無線端末の位置登録要求を送信した前記無線基地局が前記特定基地局の場合で、かつ、前記無線端末の最終位置登録した無線基地局が前記特定基地局の場合、前記無線端末が前記特定グループ内の無線基地局に属するものとして位置登録すると共に、
前記無線端末の位置登録要求を送信した無線基地局が前記特定基地局でない場合、又は、前記無線端末の位置登録要求を送信した無線基地局が前記特定基地局の場合で、かつ、前記無線端末の最終位置登録した無線基地局が前記特定基地局でない場合、前記無線端末が前記通常グループ内の無線基地局に属するものとして位置登録する位置登録部を有することを特徴とする請求項１記載の通信制御装置。
【請求項４】
前記ページング制御部は、
前記通常基地局及び前記特定基地局が混在するグループ内の無線基地局配下の無線端末宛のデータを受信すると、同グループ内の全無線基地局の内、前記特定基地局を除く、全通常基地局を通じて前記無線端末のページング情報を送信し、所定期間内に前記無線端末への応答を検出しなかった場合、前記グループ内の特定基地局を通じて前記無線端末のページング情報を送信することを特徴とする請求項３記載の通信制御装置。
【請求項５】
前記所定期間は、
前記通常基地局を通じて前記無線端末のページング情報の送信後、前記無線端末の前記ページング情報に対する応答を前記通常基地局経由で認識できるまでの期間に相当することを特徴とする請求項４記載の通信制御装置。
【請求項６】
前記通常基地局を通じて前記無線端末のページング情報を周期的に送信する送信継続期間の長さと、前記特定基地局を通じて前記無線端末のページング情報を周期的に送信する送信継続期間の長さとを異なるように設定したことを特徴とする請求項５記載の通信制御装置。
【請求項７】
前記特定基地局は、
前記通常基地局とは異なるネットワーク経由で接続することを特徴とする請求項１〜６の何れか一に記載の通信制御装置。
【請求項８】
無線端末を無線収容する複数の無線基地局を通信制御する通信制御装置であって、
複数の無線基地局の内、通常基地局及び、前記通常基地局と異なる特定基地局が混在するグループを設定するグループ設定部と、
前記無線端末の現在位置に対応する前記無線基地局のグループを識別するグループ識別情報及び、前記無線端末が最後に位置登録した無線基地局を識別する最終基地局識別情報を前記無線端末毎に管理する位置登録管理部と、
前記通常基地局及び前記特定基地局が混在するグループ内の無線基地局配下の無線端末宛のデータを受信すると、同グループ内の全無線基地局の内、前記特定基地局を除く、全通常基地局を通じて前記無線端末のページング情報を送信し、所定期間内に前記無線端末への応答を検出しなかった場合、前記グループ内の特定基地局を通じて前記無線端末のページング情報を送信するページング制御部と
を有することを特徴とする通信制御装置。
【請求項９】
無線端末を無線収容する複数の無線基地局を通信制御する通信制御方法であって、
複数の無線基地局の内、通常基地局に設定する通常グループ及び、前記複数の無線基地局の内、前記通常基地局と異なる特定基地局に設定する特定グループを設定するグループ設定ステップと、
前記無線端末の現在位置に対応する前記無線基地局のグループを識別するグループ識別情報及び、前記無線端末が最後に位置登録した無線基地局を識別する最終基地局識別情報を前記無線端末毎に位置登録管理部に管理する位置登録管理ステップと、
前記無線端末宛のデータを受信すると、この無線端末に対応する前記グループ識別情報を前記位置登録管理部から取得し、取得したグループ識別情報が前記通常グループの場合、前記通常グループ内の全通常基地局を通じて前記無線端末のページング情報を送信すると共に、前記無線端末宛のデータを受信すると、前記無線端末に対応する前記グループ識別情報を前記位置登録管理部から取得し、取得したグループ識別情報が前記特定グループの場合、前記無線端末に対応する前記最終基地局識別情報を前記位置登録管理部から取得し、取得した最終基地局識別情報の特定基地局を通じて前記無線端末のページング情報を送信するページング制御ステップと
を含むことを特徴する通信制御方法。
【請求項１０】
無線端末を無線収容する複数の無線基地局を通信制御する通信制御プログラムであって、
複数の無線基地局の内、通常基地局に設定する通常グループ及び、前記複数の無線基地局の内、前記通常基地局と異なる特定基地局に設定する特定グループを設定するグループ設定手順と、
前記無線端末の現在位置に対応する前記無線基地局のグループを識別するグループ識別情報及び、前記無線端末が最後に位置登録した無線基地局を識別する最終基地局識別情報を前記無線端末毎に位置登録管理部に管理する位置登録管理手順と、
前記無線端末宛のデータを受信すると、この無線端末に対応する前記グループ識別情報を前記位置登録管理部から取得し、取得したグループ識別情報が前記通常グループの場合、前記通常グループ内の全通常基地局を通じて前記無線端末のページング情報を送信すると共に、前記無線端末宛のデータを受信すると、前記無線端末に対応する前記グループ識別情報を前記位置登録管理部から取得し、取得したグループ識別情報が前記特定グループの場合、前記無線端末に対応する前記最終基地局識別情報を前記位置登録管理部から取得し、取得した最終基地局識別情報の特定基地局を通じて前記無線端末のページング情報を送信するページング制御手順と
を含む処理プログラムをコンピュータ装置に実行させることを特徴とする通信制御プログラム。
【発明の詳細な説明】
【技術分野】
【０００１】
本発明は、無線端末（Ｍｏｂｉｌｅ  Ｓｕｂｓｃｒｉｂｅｒ：以下、単にＭＳと称する）を無線収容する無線基地局（Ｂａｓｅ  Ｓｔａｔｉｏｎ：以下、単にＢＳと称する）を用いた通信制御装置、通信制御方法及び通信制御プログラムに関する。無線基地局の適用例として、通常の無線基地局（Ｍａｃｒｏ  Ｂａｓｅ  Ｓｔａｔｉｏｎ：以下、単にマクロＢＳと称する）や超小型無線基地局（Ｆｅｍｔｏ  Ｂａｓｅ  Ｓｔａｔｉｏｎ：以下、単にフェムトＢＳと称する）を挙げることができる。
【背景技術】
【０００２】
近年、ＩＥＥＥ８０２．１６ワーキンググループでは、ＢＳに複数のＭＳが接続可能なＰｏｉｎｔ−ｔｏ−Ｍｕｌｔｉｐｏｉｎｔ  (以下、単にＰ−ＭＰと称する)型の通信方式を規定している。【０００３】
また、ＩＥＥＥ８０２．１６ワーキンググループでは、主に固定通信用途向けの８０２．１６ｄ仕様(８０２．１６−２００４)と、移動通信用途向けの８０２．１６ｅ仕様(８０２．１６ｅ−２００５)との２種類の用途を規定している。【０００４】
このようなＩＥＥＥ８０２．１６ｄ／ｅを採用した無線通信システムでは、直交周波数分割多重方式（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘ）や、直交周波数分割多元接続方式（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）等の技術を主に採用している。【０００５】
図１４は、ＩＥＥＥ８０２．１６ｄ／ｅを採用した無線通信システム内部の概略構成を示すブロック図である。【０００６】
図１４に示す無線通信システム１００は、インターネット１０１と、複数のＭＳ１０２を無線収容する複数のマクロＢＳ１０３Ａを収容接続するアクセス・サービス・ネットワーク（Ａｃｃｅｓｓ  Ｓｅｒｖｉｃｅ  Ｎｅｔｗｏｒｋ：以下、単にＡＳＮと称する）１０４と、インターネット１０１及びＡＳＮ１０４間を通信接続する接続サービスネットワーク（Ｃｏｎｎｅｃｔｉｖｉｔｙ  Ｓｅｒｖｉｃｅ  Ｎｅｔｗｏｒｋ：以下、単にＣＳＮと称する）１０５とを有している。【０００７】
また、ＡＳＮ１０４は、複数のマクロＢＳ１０３Ａの他に、ＣＳＮ１０５及びＡＳＮ１０４間の通信インタフェースを司るＡＳＮゲートウェイ（以下、単にＡＳＮ−ＧＷと称する）１０６を配置し、レイヤ２でパケットを転送している。また、ＣＳＮ１０５は、レイヤ３でパケットのルーティングや転送を行っている。【０００８】
近年では、マクロＢＳ１０３Ａを小型化したフェムトＢＳの開発が進み、フェムトＢＳを電波環境の良くない一般家庭やオフィス等に配置し、インターネットサービスプロバイダ（Ｉｎｔｅｒｎｅｔ  Ｓｅｒｖｉｃｅ  Ｐｒｏｖｉｄｅｒ：以下、単にＩＳＰと称する)を通じてインターネット１０１経由でＡＳＮ１０４に通信接続する技術が考案されている。【０００９】
図１５は、フェムトＢＳを使用した無線通信システム内部の概略構成を示すブロック図である。尚、図１４に示す無線通信システム１００と同一の構成については同一符号を付すことで、その重複する構成及び動作の説明については省略する。【００１０】
図１５に示す無線通信システム１００Ａは、例えば一般家庭やオフィス等に配置し、ＭＳ１０２を無線収容するフェムトＢＳ１０３Ｂを備えている。【００１１】
フェムトＢＳ１０３Ｂは、非対称デジタル加入者線（Ａｓｙｍｍｅｔｒｉｃ  Ｄｉｇｉｔａｌ  Ｓｕｂｓｃｒｉｂｅｒ  Ｌｉｎｅ：以下、単にＡＤＳＬ回線と称する）や光ファイバ回線を通じてＩＳＰ１０８に接続し、ＩＳＰ１０８から直接又はインターネット１０１経由でＡＳＮ１０４に通信接続するものである。【００１２】
また、ＡＳＮ１０４は、ＩＳＰ１０８やインターネット１０１経由でフェムトＢＳ１０３Ｂとの通信インタフェースを司るフェムトＧＷ１０９を配置している。【００１３】
フェムトＧＷ１０９は、ＩＰセキュリティ（ＩＰ  Ｓｅｃｕｒｉｔｙ：以下、単にＩＰｓｅｃと称する）等を使用してフェムトＢＳ１０３Ｂとのデータの盗聴や改ざんを防止する暗号化通信を実現し、ＡＳＮ１０４のセキュリティを確保している。【００１４】
図１６は、フェムトＢＳ１０３Ｂを使用した無線通信システム内部の概略構成を示すブロック図である。尚、図１５に示す無線通信システム１００Ａと同一の構成については同一符号を付すことで、その重複する構成及び動作の説明については省略する。【００１５】
図１６に示す無線通信システム１００Ｂでは、地理的に隣接関係にある複数のマクロＢＳ１０３Ａ及びフェムトＢＳ１０３Ｂを同一のページンググループ（以下、単にＰＧと称する）に設定している。尚、説明の便宜上、マクロＢＳ１０３Ａ及びフェムトＢＳ１０３Ｂを総称してＢＳ１０３とする。【００１６】
ＡＳＮ−ＧＷ１０６は、同一ＰＧ内のＢＳ１０３に無線収容中のＭＳ１０２へのパケットを受信すると、同一ＰＧ内の全マクロＢＳ１０３Ａ及び全フェムトＢＳ１０３Ｂに対してＭＳ１０２のページング情報の送信を指示するものである。【００１７】
また、ＭＳ１０２は、アイドルモードを設定可能にし、そのアイドルモード中はマクロＢＳ１０３Ａ又はフェムトＢＳ１０３Ｂからの信号を常時受信する必要はなく、消費電力の削減を図るものである。【００１８】
尚、ＡＳＮ−ＧＷ１０６は、アイドルモード中のＭＳ１０２が位置するＰＧを登録するページングコントローラ(以下、単にＰＣと称する)部を有している。【００１９】
また、ＭＳ１０２は、現在位置のＰＧから他のＰＧに属するＢＳ１０３配下への移動、すなわちＰＧ変化を検出すると、新たな位置情報を位置登録データベースへ登録要求すべく、ＡＳＮ−ＧＷ１０６に対して位置登録を要求するものである。【００２０】
尚、ＢＳ１０３は、周期的に配下ＭＳ１０２に対して自分のＰＧＩＤを広報しているため、ＭＳ１０２は、そのＢＳ１０３からのＰＧＩＤに応じてＭＳ１０２の移動によるＰＧ変化を検出するものである。【００２１】
ＡＳＮ−ＧＷ１０６内のＰＣ部は、ＭＳ１０２の位置登録要求を検出すると、ＭＳ１０２が位置する最新の位置情報として位置登録データベースに登録更新するものである。尚、ＭＳ１０２の位置登録要求は、ＭＳ１０２の移動によるＰＧ変化を検出した場合の他に、ＭＳ１０２が自分で管理するタイマ（アイドルモードタイマ）のタイムアップに応じて起動するものである。【００２２】
また、ＡＳＮ−ＧＷ１０６は、アイドルモード中のＭＳ１０２宛のパケットを受信した場合、受信したパケットのヘッダ情報からＭＳ１０２を特定し、その特定したＭＳ１０２を識別する識別子及びページングパラメータを含むページング広報を、そのＭＳ１０２が存在するＰＧ内の全ＢＳ１０３に送信するものである。【００２３】
各ＢＳ１０３は、ＡＳＮ−ＧＷ１０６からページング広報を受信すると、配下ＭＳ１０２に対してページング情報を送信するものである。【００２４】
図１７は、基本的な位置登録更新処理に関わる無線通信システム１００Ｂ内部の処理動作を示す動作シーケンス図である。【００２５】
図１７に示すＭＳ１０２は、位置登録更新処理の起動タイミングを検出すると（ステップＳ２０１）、位置登録更新処理を開始する。尚、起動タイミングは、例えば、ＭＳ１０２の移動によるＰＧ変化の検出や、ＭＳ１０２のアイドルモードタイマのタイムアップに応じて起動するものである。【００２６】
ＭＳ１０２は、起動タイミングを検出すると、レンジング要求（以下、単にＲＮＧ−ＲＥＱと称する）をＢＳ１０３に送信する（ステップＳ２０２）。尚、ＲＮＧ−ＲＥＱは、位置登録更新処理を要求する位置登録要求フラグ（以下、単にＬＵ要求フラグと称する）と、ＭＳ１０２に関わるＡＳＮ−ＧＷ１０６内のＰＣ部を識別するＰＣＩＤとを含むメッセージである。【００２７】
ＢＳ１０３は、ＲＮＧ−ＲＥＱを受信すると、ＲＮＧ−ＲＥＱ内のＰＣＩＤに関わるＰＣ部を含むＡＳＮ−ＧＷ１０６に対して位置登録要求（以下、単にＬＵ−Ｒｅｑと称する）を送信する（ステップＳ２０３）。【００２８】
ＡＳＮ−ＧＷ１０６は、ＬＵ−Ｒｅｑを受信すると、ＭＳ１０２が位置する現在のＰＧを識別する現在ＰＧＩＤ、最後に位置登録したＢＳ１０３を識別するラストＢＳＩＤ及びパラメータ等を位置登録データベースに登録更新する（ステップＳ２０４）。尚、ＡＳＮ−ＧＷ１０６は、同時に、ＡＳＮ−ＧＷ１０６側で位置登録更新処理の起動タイミングを監視するシステム側アイドルモードタイマの計時動作をリセットするものである。尚、システム側アイドルモードタイマは、ＭＳ１０２が管理するアイドルモードタイマよりも若干長い時間でタイムアップするものである。【００２９】
さらに、ＡＳＮ−ＧＷ１０６は、ＢＳ１０３からのＬＵ−Ｒｅｑに対する位置登録要求応答（以下、単にＬＵ−Ｒｓｐと称する）をＢＳ１０３に返信する（ステップＳ２０５）。尚、ＬＵ−Ｒｓｐは、ＲＮＧ−ＲＥＱの正当性をＢＳ１０３側でチェックするメッセージ認証コード（Ｃｉｐｈｅｒ−ｂａｓｅｄ  ｍｅｓｓａｇｅ  ａｕｔｈｅｎｔｉｃａｔｉｏｎ  ｃｏｄｅ：以下、単にＣＭＡＣと称する）を計算するための鍵情報を含むものである。【００３０】
ＢＳ１０３は、ＡＳＮ−ＧＷ１０６からのＬＵ−Ｒｓｐを受信すると、そのＬＵ−Ｒｓｐ内の鍵情報に基づき、ＣＭＡＣを認証することで、ＲＮＧ−ＲＥＱの正当性を確認し、正当性を確認した場合、位置登録成功を示すフラグ及び現在のＰＧＩＤを含むレンジング要求応答（以下、単にＲＮＧ−ＲＳＰと称する）をＭＳ１０２に送信する（ステップＳ２０６）。【００３１】
さらに、ＢＳ１０３は、ＲＮＧ−ＲＳＰをＭＳ１０２に送信した後、位置登録要求確認応答（以下、単にＬＵ−Ｃｏｎｆｉｒｍと称する）をＡＳＮ−ＧＷ１０６内部のＰＣ部に返信する（ステップＳ２０７）。【００３２】
尚、ＢＳ１０３は、ステップＳ２０６にてＲＮＧ−ＲＥＱの正当性が確認できなかった場合、位置登録失敗を示すフラグを含むＲＮＧ−ＲＳＰをＭＳ１０２に送信した後、ＬＵ−ＣｏｎｆｉｒｍをＡＳＮ−ＧＷ１０６内部のＰＣに返信するものである。そして、ＡＳＮ−ＧＷ１０６は、位置登録の更新をキャンセルする。【００３３】
図１８は、基本的なページング処理に関わる無線通信システム１００Ｂ内部の処理動作を示す動作シーケンス図である。【００３４】
図１８に示すＡＳＮ−ＧＷ１０６内部のＰＣ部は、アイドルモード中のＭＳ１０２宛のパケットを受信すると（ステップＳ２１１）、ＭＳ１０２が位置登録更新処理時に報告した現在ＰＧＩＤのＰＧ内の全ＢＳ１０３に対して、ＭＳ１０２宛のページング情報の送信開始を示す開始コードを含むページング広報を送信する（ステップＳ２１２）。【００３５】
各ＢＳ１０３は、開始コードを含むページング広報を受信すると、ページング対象のＭＳ１０２に対してページング情報（ＰＡＧ−ＡＤＶ）を送信する（ステップＳ２１３）。尚、ページング広報及びページング情報（ＰＡＧ−ＡＤＶ）には、ページング対象のＭＳ１０２を特定するためのＭＡＣアドレスやハッシュ値等が含まれるものである。【００３６】
尚、各ＢＳ１０３は、後述する停止コードを含むページング広報の受信、ページング広報に含むページング広報タイマのタイムアップ、又は、ＭＳ１０２からＲＮＧ−ＲＥＱに対する応答の受信の何れかまで、所定ページング周期でページング情報（ＰＡＧ−ＡＤＶ）の送信を継続するものである。【００３７】
ＭＳ１０２は、自分のＭＡＣアドレス（又はハッシュ値）を含むページング情報を受信すると、アイドルモードを終了してネットワーク再接続を要求する再接続要求フラグ及び、そのＭＳ１０２に関わるＡＳＮ−ＧＷ１０６内のＰＣ部を識別するＰＣＩＤを含むＲＮＧ−ＲＥＱをＢＳ１０３に送信する（ステップＳ２１４）。【００３８】
ＢＳ１０３は、ＲＮＧ−ＲＥＱを受信すると、自分配下にページング対象のＭＳ１０２が存在しているものと判断し、ＲＮＧ−ＲＥＱのＰＣＩＤに基づき、そのＭＳ１０２がアイドルモードを終了してネットワーク再接続を要求するアイドルモード離脱要求をＡＳＮ−ＧＷ１０６内のＰＣ部に送信する（ステップＳ２１５）。【００３９】
ＡＳＮ−ＧＷ１０６内のＰＣ部は、アイドルモード離脱要求を受信すると、ＲＮＧ−ＲＥＱの正当性を確認するのに使用するＣＭＡＣを計算するための鍵情報の他、そのページング対象のＭＳ１０２の登録情報を含むアイドルモード離脱応答をＢＳ１０３に返信する（ステップＳ２１６）。【００４０】
ＢＳ１０３は、アイドルモード離脱応答を受信すると、アイドルモード離脱応答内の鍵情報に基づき、ＣＭＡＣを認証することで、ＲＮＧ−ＲＥＱの正当性を確認し、正当性を確認した場合、位置登録更新成功の他、通信開始のコネクション情報等の最適化情報を含むＲＮＧ−ＲＳＰをＭＳ１０２に送信し（ステップＳ２１７）、ＭＳ１０２との通信を開始する。【００４１】
さらに、ＡＳＮ−ＧＷ１０６は、停止コードを含むページング広報を同一ＰＧ内の全ＢＳ１０３に送信する（ステップＳ２１８）。尚、ＢＳ１０３は、停止コードを含むページング広報を受信すると、ページング情報の継続送信を停止することになる。【００４２】
しかしながら、フェムトＢＳ１０３Ｂを含む無線通信システム１００Ｂでは、フェムトＢＳ１０３Ｂ及びフェムトＧＷ１０９間をＩＰセキュリティ等のポイントトゥポイントの暗号化トンネルで接続しているために、ページング情報をマルチキャストで配信することができず、ページング情報の配信数を最小限に抑制することが求められている。【００４３】
すなわち、フェムトＧＷ１０９は、例えば、その配下に１０００台のフェムトＢＳ１０３Ｂが存在する場合、配下ＭＳ１０２宛のページング情報を１０００回コピーし、そのページング情報を各フェムトＢＳ１０３Ｂに送信する必要があり、その処理負担は勿論のこと、インターネット１０１上で大きな帯域が消費されてしまう事態が生じる。【００４４】
また、図１９は、同一ＰＧ内の各ＢＳ１０３に関わる通常ページング機能を端的に示す説明図である。【００４５】
図１９に示す通常ページング機能では、ＢＳ１０３“＃１”、“＃２”及び“＃３”が同一ＰＧの場合、ＢＳ１０３“＃１”配下にＭＳ１０２“＃３”、ＢＳ１０３“＃２”配下にＭＳ１０２“＃１”が存在し、ＢＳ１０３“＃１”→ＢＳ１０３“＃２”→ＢＳ１０３“＃３”の経路でＭＳ１０２“＃２”が移動する例を示している。【００４６】
この際、ＭＳ１０２“＃１”，“＃２”及び“＃３”のパケットが発生した場合、同一ＰＧ内の全ＢＳ１０３“＃１”、“＃２”及び“＃３”では、ＭＳ１０２の“＃１”，“＃２”及び“＃３”のページング情報を送信することになる。【００４７】
しかしながら、通常ページング機能では、同一ＰＧ内の各ＢＳ１０３が、そのＢＳ１０３配下にページング対象のＭＳ１０２が存在していないにも関わらず、そのＭＳ１０２のページング情報を配信する必要がある。例えば、ＢＳ１０３“＃２”では、ＭＳ１０２“＃１”及び“＃２”が存在しているものの、ＭＳ１０２“＃３”が存在していないにも関わらず、ＭＳ１０２“＃１”及び“＃２”のページング情報の他、ＭＳ１０２“＃３”のページング情報までも送信することになるため、無駄なページング情報の送信が発生する。【００４８】
そこで、このような事態に対処すべく、ページング対象のＭＳ１０２が存在するＢＳ１０３からのみ、そのＭＳ１０２のページング情報を配信する位置本位ページング機能（“Ｌｏｃａｔｉｏｎ  Ｂａｓｅｄ  Ｐａｇｉｎｇ”）が考えられている。【００４９】
図２０は、同一ＰＧ内の各ＢＳ１０３に関わる位置本位ページング機能を端的に示す説明図である。【００５０】
図２０に示す位置本位ページング機能では、ＢＳ１０３及びＭＳ１０２が図１９に示す通常ページング機能と同一グループ配置構成とした場合、同一ＰＧであっても、各ＢＳ１０３は、そのＢＳ１０３配下にＭＳ１０２が存在する場合にのみ、そのＭＳ１０２のページング情報を送信する。例えば、ＢＳ１０３“＃２”は、ＢＳ１０３“＃２”配下にＭＳ１０２“＃１”及び“＃２”が存在する場合、そのＭＳ１０２“＃１”及び“＃２”のページング情報のみを送信し、無駄なページング情報の配信を防止することで、ページング情報のデータ配信量を軽減することができる。【００５１】
【非特許文献１】ＩＥＥＥ  Ｓｔｄ  ８０２．１６TM−２００４
【非特許文献２】ＩＥＥＥ  Ｓｔｄ  ８０２．１６ｅTM−２００５
【非特許文献３】ＩＥＥＥ８０２．１６ｍ−０８／５７９．
【発明の開示】
【発明が解決しようとする課題】
【００５２】
上記従来の無線通信システムでは、マクロＢＳ１０３Ａ及びフェムトＢＳ１０３Ｂを同一ＰＧ内に設定し、同一ＰＧ配下のＭＳ１０２宛のパケットが発生した場合、同一ＰＧ内の全ＢＳ１０３、すなわち全マクロＢＳ１０３Ａは勿論のこと、全フェムトＢＳ１０３Ｂを通じてもＭＳ１０２へのページング情報を送信するため、無駄なページング情報の送信でページング情報のデータ配信量が増大してしまうといった事態が考えられる。【００５３】
また、位置本位ページング機能を採用した無線通信システムでは、例えば、図２０に示すように、同一ＰＧ内であっても、ＢＳ１０３“＃１”のみが自分宛のページング情報を送信していることをＭＳ１０２“＃３”自身が認識していないため、ＭＳ１０２“＃３”が同一ＰＧ内の他のＢＳ１０３“＃３”に移動したとしても、直ちに位置登録要求を実行できず、アイドルモードタイマのタイムアップに応じて位置登録要求を実行することになる。その結果、位置登録が完了するまでは、ＭＳ１０２“＃３”は、本来、ＢＳ１０３“＃３”配下に存在しているにも関わらず、そのＢＳ１０３“＃３”からのページング情報を受信することができず、安定したページング処理を確保することができない。【００５４】
また、従来の無線通信システムでは、一般的にフェムトＢＳ１０３Ｂの無線範囲が周辺マクロＢＳ１０３Ａの無線範囲に比較して極めて狭いため、フェムトＢＳ１０３Ｂの無線範囲内に存在するＭＳ１０２の数は、周辺マクロＢＳ１０３Ａの無線範囲に存在するＭＳ１０２の数に比較して極めて少ない場合が多く、すなわち、フェムトＢＳ１０３Ｂから送信されるページング情報の多くが、周辺マクロＢＳ１０３Ａの無線範囲内に存在するＭＳ１０２宛のページング情報である可能性が高い。【００５５】
本発明は上記点に鑑みて成されたものであり、その目的の一側面は、無駄なページング情報の送信を回避してデータ配信量の大幅削減を図りながら、安定したページング制御を実現することにある。
【課題を解決するための手段】
【００５６】
第１の案では、無線端末を無線収容する複数の無線基地局を通信制御する通信制御装置であって、前記複数の無線基地局の内、通常基地局に設定する通常グループ及び、前記複数の無線基地局の内、前記通常基地局と異なる特定基地局に設定する特定グループを設定するグループ設定部と、前記無線端末の現在位置に対応する前記無線基地局のグループを識別するグループ識別情報及び、前記無線端末が最後に位置登録した無線基地局を識別する最終基地局識別情報を前記無線端末毎に管理する位置登録管理部と、前記無線端末宛のデータを受信すると、この無線端末に対応する前記グループ識別情報を前記位置登録管理部から取得し、取得したグループ識別情報が前記通常グループの場合、前記通常グループ内の全通常基地局を通じて前記無線端末のページング情報を送信すると共に、前記無線端末宛のデータを受信すると、前記無線端末に対応する前記グループ識別情報を前記位置登録管理部から取得し、取得したグループ識別情報が前記特定グループの場合、前記無線端末に対応する前記最終基地局識別情報を前記位置登録管理部から取得し、取得した最終基地局識別情報の特定基地局を通じて前記無線端末のページング情報を送信するページング制御部とを有する装置を用いる。【００５７】
第２の案では、無線端末を無線収容する複数の無線基地局を通信制御する通信制御方法であって、前記複数の無線基地局の内、通常基地局に設定する通常グループ及び、前記複数の無線基地局の内、前記通常基地局と異なる特定基地局に設定する特定グループを設定するグループ設定ステップと、前記無線端末の現在位置に対応する前記無線基地局のグループを識別するグループ識別情報及び、前記無線端末が最後に位置登録した無線基地局を識別する最終基地局識別情報を前記無線端末毎に位置登録管理部に管理する位置登録管理ステップと、前記無線端末宛のデータを受信すると、この無線端末に対応する前記グループ識別情報を前記位置登録管理部から取得し、取得したグループ識別情報が前記通常グループの場合、前記通常グループ内の全通常基地局を通じて前記無線端末のページング情報を送信すると共に、前記無線端末宛のデータを受信すると、前記無線端末に対応する前記グループ識別情報を前記位置登録管理部から取得し、取得したグループ識別情報が前記特定グループの場合、前記無線端末に対応する前記最終基地局識別情報を前記位置登録管理部から取得し、取得した最終基地局識別情報の特定基地局を通じて前記無線端末のページング情報を送信するページング制御ステップとを含む方法を用いる。【００５８】
また、第３の案では、無線端末を無線収容する複数の無線基地局を通信制御する通信制御プログラムであって、前記複数の無線基地局の内、通常基地局に設定する通常グループ及び、前記複数の無線基地局の内、前記通常基地局と異なる特定基地局に設定する特定グループを設定するグループ設定手順と、前記無線端末の現在位置に対応する前記無線基地局のグループを識別するグループ識別情報及び、前記無線端末が最後に位置登録した無線基地局を識別する最終基地局識別情報を前記無線端末毎に位置登録管理部に管理する位置登録管理手順と、前記無線端末宛のデータを受信すると、この無線端末に対応する前記グループ識別情報を前記位置登録管理部から取得し、取得したグループ識別情報が前記通常グループの場合、前記通常グループ内の全通常基地局を通じて前記無線端末のページング情報を送信すると共に、前記無線端末宛のデータを受信すると、前記無線端末に対応する前記グループ識別情報を前記位置登録管理部から取得し、取得したグループ識別情報が前記特定グループの場合、前記無線端末に対応する前記最終基地局識別情報を前記位置登録管理部から取得し、取得した最終基地局識別情報の特定基地局を通じて前記無線端末のページング情報を送信するページング制御手順とを含む処理プログラムをコンピュータ装置に実行させるプログラムを用いる。
【発明の効果】
【００５９】
通常基地局を通常グループ及び、特定基地局を特定グループに設定し、無線端末宛のデータが発生したとしても、通常基地局及び特定基地局双方を通じた無駄なページング情報の送信を回避してデータ配信量の大幅削減を図りながら、安定したページング制御を実現することができるという効果を奏する。
【図面の簡単な説明】
【００６０】
【図１】図１は、実施例１の無線通信システム内部の概略構成を示す説明図である。
【図２】図２は、ＭＳ内部の概略構成を示すブロック図である。
【図３】図３は、ＡＳＮ−ＧＷ内部の概略構成を示すブロック図である。
【図４】図４は、ＡＳＮ−ＧＷ内部の位置登録データベースで管理する情報のデータ構成を端的に示す説明図である。
【図５】図５は、位置登録更新処理に関わる無線通信システム内部の処理動作を端的に示す動作シーケンス図である。
【図６】図６は、位置登録更新処理に関わるＡＳＮ−ＧＷ内部の処理動作を示すフローチャートである。
【図７】図７は、ページング処理に関わるＡＳＮ−ＧＷ内部の処理動作を示すフローチャートである。
【図８】図８は、位置登録更新処理に関わるＭＳ内部の処理動作を示すフローチャートである。
【図９】図９は、実施例２の無線通信システム内部の概略構成を示す説明図である。
【図１０】図１０は、位置登録更新処理に関わる無線通信システム内部の処理動作を示す動作シーケンス図である。
【図１１】図１１は、位置登録更新処理に関わるＡＳＮ−ＧＷ内部の処理動作を示すフローチャートである。
【図１２】図１２は、ページング処理に関わる実施例３の無線通信システム内部の処理動作を示す動作シーケンス図である。
【図１３】図１３は、ページング処理に関わるＡＳＮ−ＧＷ内部の処理動作を示すフローチャートである。
【図１４】図１４は、ＩＥＥＥ８０２．１６ｄ／ｅを採用した無線通信システム内部の概略構成を示すブロック図である。
【図１５】図１５は、フェムトＢＳを使用した無線通信システム内部の概略構成を示すブロック図である。
【図１６】図１６は、フェムトＢＳを使用した無線通信システム内部の概略構成を示すブロック図である。
【図１７】図１７は、基本的な位置登録更新処理に関わる無線通信システム内部の処理動作を示す動作シーケンス図である。
【図１８】図１８は、基本的なページング処理に関わる無線通信システム内部の処理動作を示す動作シーケンス図である。
【図１９】図１９は、同一ＰＧ内の各ＢＳに関わる通常ページング機能を端的に示す説明図である。
【図２０】図２０は、同一ＰＧ内の各ＢＳに関わる位置本位ページング機能を端的に示す説明図である。
【符号の説明】
【００６１】
１  無線通信システム
１Ａ  無線通信システム
１Ｂ  無線通信システム
２  ＭＳ
３  ＢＳ
３Ａ  マクロＢＳ
３Ｂ  フェムトＢＳ
４  ＡＳＮ−ＧＷ
２４  ＧＷ側制御部
２３Ａ  ＰＧＩＤ管理テーブル
２３Ｂ  位置登録データベース
【発明を実施するための最良の形態】
【００６２】
以下、図面に基づき本発明の通信制御装置、通信制御方法及び通信制御プログラムに関わる実施例について説明する。【００６３】
本実施例の概略としては、ＭＳを無線収容する複数のＢＳと、これら複数のＢＳを管理するＡＳＮ−ＧＷとを有し、これら複数のＢＳは、マクロＢＳ及びフェムトＢＳを有し、地理的に隣接するマクロＢＳにＰＧを設定し、フェムトＢＳに周辺のマクロＢＳと異なるＰＧを設定する。【００６４】
そして、ＡＳＮ−ＧＷは、ＭＳがマクロＢＳのＰＧ内に存在し、ＭＳ宛のパケットを受信した場合、同ＰＧ内の全マクロＢＳに対してＭＳのページング情報を送信する。【００６５】
また、ＡＳＮ−ＧＷは、ＭＳがフェムトＢＳのＰＧ内に存在し、ＭＳ宛のパケットを受信した場合、最後に位置登録を実行したフェムトＢＳに対してＭＳのページング情報を送信する。【００６６】
本実施例では、ＭＳ宛のパケットが生じた場合、従来のようにマクロＢＳ及びフェムトＢＳ双方に、無駄なＭＳ宛のページング情報を配信するような事態を回避してデータ配信量の大幅削減を図りながら、安定したページング制御を実現することができるというものである。      
【実施例１】
【００６７】
図１は、実施例１の無線通信システム内部の概略構成を示す説明図である。【００６８】
図１に示す無線通信システム１は、複数のＭＳ２を無線収容する複数のＢＳ３と、複数のＢＳ３の内、マクロＢＳ３Ａを収容するＡＳＮ−ＧＷ４と、複数のＢＳ３の内、フェムトＢＳ３Ｂをインターネット５経由で収容するフェムトＧＷ６とを有し、ＡＳＮ−ＧＷ４は、フェムトＧＷ６及びインターネット５経由でフェムトＢＳ３Ｂを収容している。【００６９】
また、無線通信システム１は、地理的に隣接する複数のマクロＢＳ３ＡにＰＧ＃１を設定し、地理的に隣接しない複数のフェムトＢＳ３Ｂに、マクロＢＳ３ＡのＰＧとは異なるＰＧ＃２を設定するものである。つまり、フェムトＢＳ３Ｂに設定するＰＧは同一の共通ＰＧに設定するものである。【００７０】
また、フェムトＧＷ６は、各フェムトＢＳ３Ｂとの間でＩＰセキュリティを使用してポイントトゥポイントの暗号化トンネルを設定し、インターネット５経由で盗聴やデータ改ざん等を防止しているものである。【００７１】
図２は、ＭＳ２内部の概略構成を示すブロック図である。【００７２】
図２に示すＭＳ２は、ＢＳ３との間で無線信号を送受信するアンテナ１１と、アンテナ１１を送受信系で共用するデュプレクサ１２と、受信処理を施す受信処理部１３と、送信処理を施す送信処理部１４と、データ処理部１５と、様々な情報を記憶する記憶部１６と、ＭＳ２全体を制御する制御部１７とを有している。【００７３】
受信処理部１３は、アンテナ１１で受信した無線信号を受信する受信部１３Ａと、受信信号を復調する復調部１３Ｂと、復調した受信信号を復号する復号化部１３Ｃと、復号データから制御データ(例えば、ＰＡＧ−ＡＤＶ等)及びパケット化したデータを抽出するデータ抽出部１３Ｄと、データ抽出部１３Ｄにて抽出したデータを再生するパケット再生部１３Ｅとを有している。【００７４】
データ処理部１５は、受信データに含まれる各種データの表示処理や音声出力処理等を実行するものである。【００７５】
送信処理部１４は、データ処理部１５から受信したパケットデータに含まれるＩＰアドレスを識別し、ＩＰアドレスに基づきコネクションを特定するパケット識別部１４Ａと、データ処理部１５から受信したパケットデータを格納するパケットバッファ部１４Ｂと、無線フレーム内にユーザデータ及び制御データの送信データを格納するプロトコルデータユニット（ＰＤＵ：Ｐｒｏｔｏｃｏｌ  Ｄａｔａ  Ｕｎｉｔ）生成部１４Ｃと、送信データを符号化する符号化部１４Ｄと、符号化した送信データを変調する変調部１４Ｅと、変調した送信データを送信する送信部１４Ｆとを有している。【００７６】
パケット識別部１４Ａは、データ処理部１５から受信したパケットデータに含まれるＩＰアドレスを識別し、ＩＰアドレスに基づきコネクションを特定（例えば、ＩＰアドレスとコネクションのＩＤの対応を記憶しておき、対応するコネクションのＩＤを取得）すると共に、ＩＤに対応するＱＯＳ（同様にＩＤに対応させて記憶しておく）情報を取得し、制御部１７にＩＤ、ＱＯＳ情報、データサイズを与えて送信要求を行い、データ処理部１５から渡されたパケットデータをパケットバッファ部１４Ｂに格納するものである。【００７７】
制御部１７は、パケット識別部１４Ａから送信要求を受けると、ＢＳ３に帯域要求を実行するものである。帯域が割り当てられると、パケットバッファ部１４Ｂ及びＰＤＵ生成部１４Ｃに送信の指示を実行するものである。また、制御部１７は、制御データ(例えばＲＮＧ−ＲＥＱや帯域要求（Ｂａｎｄｗｉｄｔｈ  Ｒｅｑｕｅｓｔ  Ｈｅａｄｅｒ等))の生成も実行し、ＢＳ３に送信するものである。  【００７８】
また、ＰＤＵ生成部１４Ｃは、ＢＳ３が送信する同期信号（プリアンブル）を基準として形成される無線フレーム内にユーザデータ及び制御データの送信データが格納されるようにＰＤＵを生成し、符号化部１４Ｄに送出するものである。この際、ユーザデータを暗号化する場合、ＰＤＵ生成部１４Ｃ内の暗号化処理部は、制御部１７から通知された暗号鍵、無線フレーム番号及びインデックスを用いてユーザデータを暗号化するものである。【００７９】
符号化部１４Ｄ、変調部１４Ｅ及び送信部１４Ｆは、夫々順にＰＤＵデータに対して誤り訂正符号化等の符号化処理を施してから変調し、送信部１４Ｆからアンテナ１１を介して無線信号として送信するものである。【００８０】
また、制御部１７は、ＢＳ３と送受信する制御データの処理も行う。例えば、受信した制御データから無線フレーム番号、ＢＳＩＤやＰＧＩＤを抽出して管理する他、ＭＳ２のサポートする機能の登録、認証、鍵生成・交換、無線チャネルの状態管理やＭＳ２の通信状態の管理等を実行するものである。例えば、制御部１７は、しばらく通信が無い状態の場合、アイドルモードに移行し、消費電力の削減を図るものである。【００８１】
また、制御部１７は、アイドルモード中、ＢＳ３から受信するＰＧＩＤ及びＢＳＩＤに応じて位置登録要求を実行するものである。【００８２】
また、制御部１７は、アイドルモードタイマを管理し、アイドルモードタイマのタイムアップに応じて位置登録要求を実行するものである。【００８３】
また、制御部１７は、ＢＳ３から受信したアップリンクの帯域の割当情報に基づき、送信処理部１４を制御し、ユーザデータ又は制御データをＢＳ３に送信するものである。【００８４】
また、制御部１７は、帯域の割当が必要な場合、帯域割当の必要なコネクションのＢＲヘッダをＢＳ３に送信するように送信処理部１４に指示するものである。【００８５】
図３は、ＡＳＮ−ＧＷ４内部の概略構成を示すブロック図である。【００８６】
図３に示すＡＳＮ−ＧＷ４は、フェムトＧＷ６経由でフェムトＢＳ３Ｂとのインタフェースを司る第１通信インタフェース２１と、マクロＢＳ３Ａ等のＡＳＮ内の内部装置とのインタフェースを司る第２通信インタフェース２２とを有している。【００８７】
また、ＡＳＮ−ＧＷ４は、様々な情報を記憶するＧＷ側記憶部２３と、ＡＳＮ−ＧＷ４全体を制御するＧＷ側制御部２４とを有している。【００８８】
ＧＷ側制御部２４は、各ＭＳ２に対してページング制御を司るページングコントローラ（以下、単にＰＣと称する）部２４Ａを有している。【００８９】
ＰＣ部２４Ａは、各ＭＳ２の位置情報を登録更新する位置登録更新処理を実行すると共に、各ＭＳ２のページング処理を実行するものである。【００９０】
また、ＧＷ側記憶部２３は、マクロＢＳ３Ａ及びフェムトＢＳ３Ｂ等のＢＳ３毎に所属するＰＧＩＤを管理するＰＧＩＤ管理テーブル２３Ａと、ＢＳ３に存在するＭＳ２毎の位置情報を登録する位置登録データベース２３Ｂとを有している。【００９１】
また、ＧＷ側制御部２４内部のＰＣ部２４Ａは、位置登録データベース２３Ｂに登録中のＭＳ２の位置情報に基づき位置登録更新処理やページング処理を実行するものである。【００９２】
また、ＧＷ側制御部２４は、ＭＳ２の認証を行うためにＡＡＡサーバと通信すると共に、マクロＢＳ３ＡやフェムトＢＳ３Ｂとの間にデータ転送用パスを設定すると共に、ＭＳ２に対するＰＣ機能を提供するものである。【００９３】
図４は、ＡＳＮ−ＧＷ４内部の位置登録データベース２３Ｂで管理する情報のデータ構成を端的に示す説明図である。【００９４】
位置登録データベース２３Ｂは、ＡＳＮ−ＧＷ４で管理するＭＳ２の位置情報３０を管理している。【００９５】
位置情報３０は、ＭＳ２を識別するＭＡＣアドレス３１と、ＭＳ２が位置するＢＳ３の所属するＰＧを識別するＰＧＩＤ３２と、ＭＳ２が最後に位置登録を実行したＢＳ３（マクロＢＳ３Ａ又はフェムトＢＳ３Ｂ）を識別するラストＢＳＩＤ３３と、アイドルモード中のＭＳ２に対するページング情報（ＰＡＧ−ＡＤＶ）を送信するページング周期３４と、ページング周期のタイミングをオフセット管理するページングオフセット３５とを有している。【００９６】
ＭＳ２は、例えば、マクロＢＳ３Ａ配下からフェムトＢＳ３Ｂ配下に移動した場合、移動によるＰＧ変化が生じたものと判断し、位置登録要求を実行するものである。この際、ＡＳＮ−ＧＷ４内のＰＣ部２４Ａは、ＭＳ２がＰＧ＃２配下にいることを示すＰＧＩＤ３２に加え、最後に位置登録を実行したフェムトＢＳ３Ｂを識別するラストＢＳＩＤ３３を位置登録データベース２３Ｂに更新登録するものである。【００９７】
ＡＳＮ−ＧＷ４は、ＭＳ２宛のパケットを受信し、そのページング対象のＭＳ２がフェムトＢＳ３Ｂ共通のＰＧ配下に存在する場合、位置登録データベース２３Ｂに登録中のラストＢＳＩＤ３３に基づき、そのフェムトＢＳ３Ｂのみにページング情報を送信するものである。その結果、フェムトＢＳ３Ｂ共通の同一ＰＧ＃２配下の全フェムトＢＳ３Ｂにページング情報を送信する必要はないものである。【００９８】
また、ＭＳ２は、同一ＰＧ＃２配下のフェムトＢＳ３Ｂ間を移動する場合、ＰＧは変化しないものの、その移動先のフェムトＢＳ３ＢからのＢＳＩＤの広報に応じてＢＳＩＤの変化を検出し、同一ＰＧ＃２配下のフェムトＢＳ３Ｂ間の移動を検出したものと判断し、位置登録更新処理を実行し、ＡＳＮ−ＧＷ４側で記憶中の同ＭＳ２に関わるラストＢＳＩＤ３３を位置登録データベース２３Ｂに更新登録するものである。【００９９】
次に、実施例１の無線通信システム１の動作について説明する。図５は、位置登録更新処理に関わる無線通信システム内部の処理動作を端的に示す動作シーケンス図である。【０１００】
図５に示す位置登録更新処理は、図１に示すように、アイドルモード中のＭＳ２がマクロＢＳ３Ａ“＃１”からフェムトＢＳ３Ｂ“＃１”及びフェムトＢＳ３Ｂ“＃２”経由でマクロＢＳ３Ａ“＃２”に移動する際を例に挙げ、ＭＳ２の位置情報をＡＳＮ−ＧＷ４内部の位置登録データベース２３Ｂに更新する処理である。【０１０１】
アイドルモード中のＭＳ２は、マクロＢＳ３Ａ“＃１”配下に存在し、位置登録更新を要求すべく、ＬＵ要求フラグを含むＲＮＧ−ＲＥＱをマクロＢＳ３Ａ“＃１”に送信する（ステップＳ１１）。尚、ＲＮＧ−ＲＥＱは、位置登録更新処理を要求するＬＵ要求フラグと、ＭＳ２に関わるＡＳＮ−ＧＷ４内のＰＣ部２４Ａを識別するＰＣＩＤとを含むメッセージである。【０１０２】
マクロＢＳ３Ａ“＃１”は、ＭＳ２からＲＮＧ−ＲＥＱを受信すると、ＲＮＧ−ＲＥＱ内のＰＣＩＤに関わるＰＣ部２４Ａを含むＡＳＮ−ＧＷ４に対してＬＵ−Ｒｅｑを送信する（ステップＳ１２）。【０１０３】
ＡＳＮ−ＧＷ４は、ＬＵ−Ｒｅｑを受信すると、位置登録データベース２３Ｂに登録中の現在のＰＧを識別する現在ＰＧＩＤ３２及び、最後に位置登録したＢＳ３を識別するラストＢＳＩＤ３３を更新する（ステップＳ１３）。尚、ＡＳＮ−ＧＷ４は、現在ＰＧＩＤ３２としてマクロＢＳ３Ａ“＃１”のＰＧ＃１、ラストＢＳＩＤ３３としてマクロＢＳ３Ａ“＃１”を位置登録データベース２３Ｂに更新するものである。尚、マクロＢＳ３Ａ“＃１”は、ＬＵ−Ｒｅｑ内に自分の所属するＰＧＩＤをＡＳＮ−ＧＷ４に通知するようにしても良い。【０１０４】
この際、ＡＳＮ−ＧＷ４は、そのＭＳ２宛のパケットを受信した場合、ＰＧ＃１配下の全マクロＢＳ３Ａに対して同ＭＳ２のページング情報の送信を指示することになる。【０１０５】
また、ＡＳＮ−ＧＷ４は、ＭＳ２の位置登録更新を検出すると、ＭＳ２が存在するＰＧ＃１のＰＧＩＤを含むＬＵ−ＲｓｐをマクロＢＳ３Ａ“＃１”に通知する（ステップＳ１４）。【０１０６】
マクロＢＳ３Ａ“＃１”は、ＬＵ−Ｒｓｐを受信すると、ＭＳ２が存在するＰＧ＃１のＰＧＩＤを含むＲＮＧ−ＲＳＰをＭＳ２に通知する（ステップＳ１５）。【０１０７】
その結果、ＭＳ２は、ＰＧ＃１のマクロＢＳ３Ａ配下に存在する限り、ＰＧ変化に起因する位置登録更新処理を実行する必要はないが、当然ながら、アイドルモードタイマのタイムアップに応じて位置登録更新処理を実行するものである。【０１０８】
次に、ＭＳ２は、マクロＢＳ３Ａ“＃１”からフェムトＢＳ３Ｂ“＃１”配下に移動した場合（ステップＳ１６）、フェムトＢＳ３Ｂ“＃１”が広報するＰＧ＃２のＰＧＩＤを受信することで、今までいたＰＧＩＤ（ＰＧ＃１）配下のＢＳ３から離脱したものと判断し、位置登録更新を要求すべく、ＬＵ要求フラグを含むＲＮＧ−ＲＥＱをフェムトＢＳ３Ｂ“＃１”に送信する（ステップＳ１７）。【０１０９】
フェムトＢＳ３Ｂ“＃１”は、ＭＳ２からＲＮＧ−ＲＥＱを受信すると、ＲＮＧ−ＲＥＱ内のＰＣＩＤに関わるＰＣ部２４Ａを含むＡＳＮ−ＧＷ４に対してＬＵ−Ｒｅｑを送信する（ステップＳ１８）。この際、フェムトＢＳ３Ｂ“＃１”は、インターネット５及びフェムトＧＷ６経由でＬＵ−ＲｅｑをＡＳＮ−ＧＷ４に送信するものである。【０１１０】
ＡＳＮ−ＧＷ４は、ＬＵ−Ｒｅｑを受信すると、位置登録データベース２３Ｂに登録中の現在のＰＧを識別する現在ＰＧＩＤ３２及び、最後に位置登録したＢＳ３を識別するラストＢＳＩＤ３３を更新する（ステップＳ１９）。尚、ＡＳＮ−ＧＷ４は、現在ＰＧＩＤ３２としてフェムトＢＳ３Ｂ“＃１”のフェムトＢＳ３Ｂ共通のＰＧ＃２、ラストＢＳＩＤ３３としてフェムトＢＳ３Ｂ“＃１”を位置登録データベース２３Ｂに更新するものである。【０１１１】
この際、ＡＳＮ−ＧＷ４は、そのＭＳ２宛のパケットを受信した場合、ＰＧ＃２配下のラストＢＳＩＤ３３のフェムトＢＳ３Ｂ“＃１”に対してのみ、同ＭＳ２のページング情報の送信を指示することになる。【０１１２】
また、ＡＳＮ−ＧＷ４は、ＭＳ２の位置登録更新を検出すると、ＭＳ２が存在するＰＧ＃２のＰＧＩＤを含むＬＵ−ＲｓｐをフェムトＢＳ３Ｂ“＃１”に通知する（ステップＳ２０）。【０１１３】
フェムトＢＳ３Ｂ“＃１”は、ＬＵ−Ｒｓｐを受信すると、ＭＳ２が存在するＰＧ＃２のＰＧＩＤを含むＲＮＧ−ＲＳＰをＭＳ２に通知する（ステップＳ２１）。【０１１４】
その結果、ＭＳ２は、ＰＧ＃２のフェムトＢＳ３Ｂ“＃１”配下に存在する限り、ＰＧ変化に起因する位置登録更新処理を実行する必要はないが、当然ながら、アイドルモードタイマのタイムアップに応じて位置登録更新処理を実行するものである。【０１１５】
次に、ＭＳ２は、フェムトＢＳ３Ｂ“＃１”から同一ＰＧ＃２内のフェムトＢＳ３Ｂ“＃２”配下に移動した場合（ステップＳ２２）、フェムトＢＳ３Ｂ“＃２”が広報するＰＧ＃２のＰＧＩＤを受信すると、フェムトＢＳ３Ｂ共通のＰＧ＃２配下に存在し、フェムトＢＳ３Ｂが変化したものと判断し、位置登録更新を要求すべく、ＬＵ要求フラグを含むＲＮＧ−ＲＥＱをフェムトＢＳ３Ｂ“＃２”に送信する（ステップＳ２３）。【０１１６】
フェムトＢＳ３Ｂ“＃２”は、ＭＳ２からＲＮＧ−ＲＥＱを受信すると、ＲＮＧ−ＲＥＱ内のＰＣＩＤに関わるＰＣ部２４Ａを含むＡＳＮ−ＧＷ４に対してＬＵ−Ｒｅｑを送信する（ステップＳ２４）。この際、フェムトＢＳ３Ｂ“＃２”は、インターネット５及びフェムトＧＷ６経由でＬＵ−ＲｅｑをＡＳＮ−ＧＷ４に通知するものである。【０１１７】
ＡＳＮ−ＧＷ４は、ＬＵ−Ｒｅｑを受信すると、位置登録データベース２３Ｂに登録中の現在のＰＧを識別する現在ＰＧＩＤ３２及び、最後に位置登録したＢＳ３を識別するラストＢＳＩＤ３３を更新する（ステップＳ２５）。尚、ＡＳＮ−ＧＷ４は、現在ＰＧＩＤ３２としてフェムトＢＳ３Ｂ共通のＰＧ＃２、ラストＢＳＩＤ３３としてフェムトＢＳ３Ｂ“＃２”を位置登録データベース２３Ｂに更新するものである。【０１１８】
この際、ＡＳＮ−ＧＷ４は、そのＭＳ２宛のパケットを受信した場合、ＰＧ＃２配下のラストＢＳＩＤ３３のフェムトＢＳ３Ｂ“＃２”に対してのみ、同ＭＳ２のページング情報の送信を指示することになる。【０１１９】
また、ＡＳＮ−ＧＷ４は、ＭＳ２の位置登録更新を検出すると、ＭＳ２が存在するＰＧ＃２のＰＧＩＤを含むＬＵ−ＲｓｐをフェムトＢＳ３Ｂ“＃２”に通知する（ステップＳ２６）。【０１２０】
フェムトＢＳ３Ｂ“＃２”は、ＬＵ−Ｒｓｐを受信すると、ＭＳ２が存在するＰＧ＃２のＰＧＩＤを含むＲＮＧ−ＲＳＰをＭＳ２に通知する（ステップＳ２７）。【０１２１】
その結果、ＭＳ２は、ＰＧ＃２のフェムトＢＳ３Ｂ“＃２”配下に存在する限り、ＰＧ変化に起因する位置登録更新処理を実行する必要はないが、当然ながら、アイドルモードタイマのタイムアップでは位置登録更新処理を実行するものである。【０１２２】
次に、ＭＳ２は、フェムトＢＳ３Ｂ“＃２”からマクロＢＳ３Ａ“＃２”配下に移動した場合（ステップＳ２８）、マクロＢＳ３Ａ“＃２”が広報するＰＧ＃１のＰＧＩＤを受信することで、今までいたＰＧＩＤ（ＰＧ＃２）配下のフェムトＢＳ３Ｂ“＃２”から離脱したものと判断し、位置登録更新を要求すべく、ＬＵ要求フラグを含むＲＮＧ−ＲＥＱをマクロＢＳ３Ａ“＃２”に送信する（ステップＳ２９）。【０１２３】
マクロＢＳ３Ａ“＃２”は、ＭＳ２からＲＮＧ−ＲＥＱを受信すると、ＲＮＧ−ＲＥＱ内のＰＣＩＤに関わるＰＣ部２４Ａを含むＡＳＮ−ＧＷ４に対してＬＵ−Ｒｅｑを送信する（ステップＳ３０）。【０１２４】
ＡＳＮ−ＧＷ４は、ＬＵ−Ｒｅｑを受信すると、位置登録データベース２３Ｂに登録中の現在のＰＧを識別する現在ＰＧＩＤ３２及び、最後に位置登録したＢＳ３を識別するラストＢＳＩＤ３３を更新する（ステップＳ３１）。尚、ＡＳＮ−ＧＷ４は、現在ＰＧＩＤ３２としてマクロＢＳ３Ａ“＃２”のＰＧ＃１、ラストＢＳＩＤ３３としてマクロＢＳ３Ａ“＃２”を位置登録データベース２３Ｂに更新するものである。【０１２５】
この際、ＡＳＮ−ＧＷ４は、そのＭＳ２宛のパケットを受信した場合、ＰＧ＃１内の全マクロＢＳ３Ａに対して、同ＭＳ２のページング情報の送信を指示することになる。【０１２６】
また、ＡＳＮ−ＧＷ４は、ＭＳ２の位置登録更新を検出すると、ＭＳ２が存在するＰＧ＃１のＰＧＩＤを含むＬＵ−ＲｓｐをマクロＢＳ３Ａ“＃２”に通知する（ステップＳ３２）。【０１２７】
マクロＢＳ３Ａ“＃２”は、ＬＵ−Ｒｓｐを受信すると、ＭＳ２が存在するＰＧ＃１のＰＧＩＤを含むＲＮＧ−ＲＳＰをＭＳ２に通知する（ステップＳ３３）。【０１２８】
その結果、ＭＳ２は、ＰＧ＃１のマクロＢＳ３Ａ配下に存在する限り、ＰＧ変化に起因する位置登録更新処理を実行する必要はないが、当然ながら、アイドルモードタイマのタイムアップに応じて位置登録更新処理を実行するものである。【０１２９】
次に、位置登録更新処理に関わるＡＳＮ−ＧＷ４の動作について説明する。図６は、位置登録更新処理に関わるＡＳＮ−ＧＷ４内部の処理動作を示すフローチャートである。【０１３０】
図６に示すＡＳＮ−ＧＷ４は、ＢＳ３からＬＵ−Ｒｅｑを受信すると（ステップＳ４１）、このＬＵ−Ｒｅｑを送信したＢＳ３のＰＧＩＤを取得する（ステップＳ４２）。【０１３１】
ＡＳＮ−ＧＷ４は、ステップＳ４２にて取得したＰＧＩＤがフェムトＢＳ３Ｂ共通のＰＧＩＤ“＃２”であるか否かを判定する（ステップＳ４３）。尚、ＰＧＩＤがフェムトＢＳ３Ｂ共通のＰＧＩＤであるか否かの判定は、ＢＳ３及びＰＧＩＤの対応関係を記憶したＰＧＩＤ管理テーブル２３Ａに対する検索処理、又はＢＳ３がＬＵ−Ｒｅｑ自体にＰＧＩＤを格納することで実行するものである。【０１３２】
ＡＳＮ−ＧＷ４は、ステップＳ４２にて取得したＰＧＩＤがフェムトＢＳ３Ｂ共通のＰＧＩＤ“＃２”の場合（ステップＳ４３肯定）、ＬＵ−Ｒｅｑに関わるＭＳ２に対応付けてフェムトＢＳ３Ｂ共通のＰＧＩＤ“＃２”を現在ＰＧＩＤ３２として位置登録データベース２３Ｂに更新し（ステップＳ４４）、そのＭＳ２に対応付けてラストＢＳＩＤ３３を位置登録データベース２３Ｂに更新する（ステップＳ４５）。尚、ラストＢＳＩＤ３３は、ＬＵ−Ｒｅｑを生成したＢＳ３のＢＳＩＤに相当するものである。【０１３３】
ＡＳＮ−ＧＷ４は、ラストＢＳＩＤ３３を更新する際、ＭＳ２のアイドルモードのパラメータ（ページング周期及びページングオフセット）も併せて位置登録データベース２３Ｂに更新した後、ＰＧＩＤ及びアイドルモードパラメータ等の情報を含むＬＵ−ＲｓｐをＢＳ３に返信し（ステップＳ４６）、図６に示す処理動作を終了する。【０１３４】
ＡＳＮ−ＧＷ４は、ステップＳ４２にて取得したＰＧＩＤがフェムトＢＳ３Ｂ共通のＰＧＩＤ“＃２”でない場合（ステップＳ４３否定）、ＬＵ−Ｒｅｑに関わるＭＳ２に対応付けてマクロＢＳ３ＡのＰＧＩＤを現在ＰＧＩＤ３２として位置登録データベース２３Ｂに更新し（ステップＳ４７）、ラストＢＳＩＤ３３を位置登録データベース２３Ｂに更新すべく、ステップＳ４５に移行する。【０１３５】
次に、ページング処理に関わるＡＳＮ−ＧＷ４の動作について説明する。図７は、ページング処理に関わるＡＳＮ−ＧＷ４内部の処理動作を示すフローチャートである。【０１３６】
図７に示すＡＳＮ−ＧＷ４は、アイドルモード中のＭＳ２宛のパケットを受信すると（ステップＳ５１）、このＭＳ２の存在するＰＧＩＤ３２を位置登録データベース２３Ｂから検索し、ＭＳ２のＰＧＩＤがフェムトＢＳ３Ｂ共通のＰＧＩＤ“＃２”であるか否かを判定する（ステップＳ５２）。【０１３７】
ＡＳＮ−ＧＷ４は、ＭＳ２のＰＧＩＤがフェムトＢＳ３Ｂ共通のＰＧＩＤ“＃２”の場合（ステップＳ５２肯定）、位置登録データベース２３Ｂに登録中のラストＢＳＩＤ３３のフェムトＢＳ３Ｂに対してページング情報の送信を指示し（ステップＳ５３）、そのページング情報に対するＭＳ２からの応答を監視し（ステップＳ５４）、図７に示す処理動作を終了する。【０１３８】
また、ＡＳＮ−ＧＷ４は、ＭＳ２のＰＧＩＤがフェムトＢＳ３Ｂ共通のＰＧＩＤ“＃２”でない場合（ステップＳ５２否定）、位置登録データベース２３Ｂに記憶中のＰＧＩＤの全マクロＢＳ３Ａに対してページング情報の送信を指示し（ステップＳ５５）、ページング情報に対するＭＳ２からの応答を監視すべく、ステップＳ５４に移行する。【０１３９】
次に、位置登録更新要求処理に関わるＭＳ２の動作について説明する。図８は、位置登録更新要求処理に関わるＭＳ２内部の処理動作を示すフローチャートである。【０１４０】
図８に示すアイドルモード中のＭＳ２は、ＢＳ３から周期的にＰＧＩＤを受信する（ステップＳ６１）。尚、ＰＧＩＤは、ページング情報（ＰＡＧ−ＡＤＶ）やＢＳ３の設定情報等を広報するダウンリンクチャネルデスクリプタ（Ｄｏｗｎｌｉｎｋ  Ｃｈａｎｎｅｌ  Ｄｅｓｃｒｉｐｔｏｒ）に含まれるものである。【０１４１】
ＭＳ２は、受信したＰＧＩＤとＭＳ２自体が記憶したＰＧＩＤとが同一であるか否かを判定する（ステップＳ６２）。【０１４２】
ＭＳ２は、受信したＰＧＩＤとＭＳ２自体が記憶したＰＧＩＤとが同一でない場合（ステップＳ６２否定）、ＲＮＧ−ＲＥＱをＢＳ３に送信して位置登録更新動作を実行し（ステップＳ６３）、図８に示す処理動作を終了する。【０１４３】
また、ＭＳ２は、受信したＰＧＩＤとＭＳ２自体が記憶したＰＧＩＤとが同一の場合（ステップＳ６２肯定）、受信したＰＧＩＤがフェムトＢＳ３Ｂ共通のＰＧＩＤであるか否かを判定する（ステップＳ６４）。【０１４４】
ＭＳ２は、受信したＰＧＩＤがフェムトＢＳ３Ｂ共通のＰＧＩＤの場合（ステップＳ６４肯定）、受信したＰＧＩＤを送信したＢＳ３とＭＳ２自体が記憶したＰＧＩＤを送信したＢＳ３とが同一であるか否かを判定する（ステップＳ６５）。尚、ＢＳ３の識別は、パケット内の先頭パケットに配置したプリアンブルのパターンやＢＳ３が広報するメッセージに含まれるＢＳＩＤを使用するものである。【０１４５】
ＭＳ２は、受信したＰＧＩＤを送信したＢＳ３とＭＳ２自体が記憶したＰＧＩＤを送信したＢＳ３とが異なる場合（ステップＳ６５否定）、ＲＮＧ−ＲＥＱをＢＳ３に送信して位置登録更新動作を実行すべく、ステップＳ６３に移行する。【０１４６】
また、ＭＳ２は、受信したＰＧＩＤがフェムトＢＳ３Ｂ共通のＰＧＩＤと異なる場合（ステップＳ６４否定）、又は受信したＰＧＩＤを送信したＢＳ３とＭＳ２自体が記憶したＰＧＩＤを送信したＢＳ３とが同一の場合（ステップＳ６５肯定）、図８に示す処理動作を終了する。【０１４７】
実施例１では、複数のＢＳ３の内、地理的に隣接関係のあるマクロＢＳ３ＡをＰＧ＃１、フェムトＢＳ３ＢをフェムトＢＳ３Ｂ共通のＰＧ＃２に設定し、ＰＧ内でＭＳ２の位置登録要求を検出すると、ＭＳ２の現在位置するＢＳ３のＰＧを識別するＰＧＩＤ３２及び、そのＭＳ２が最後に位置登録したＢＳ３のラストＢＳＩＤ３３を位置登録データベース２３Ｂに登録するようにしたので、フェムトＢＳ３Ｂに設定するＰＧ数の大幅削減を図ることで、フェムトＢＳ３Ｂに設定するＰＧの管理負担を大幅に軽減することができる。また、フェムトＢＳ３Ｂに設定するＰＧ数の大幅削減を図ることで、ＰＧを表すビット数も削減できるため、ＰＧの管理負担を軽減することができる。【０１４８】
また、実施例１では、ＭＳ２宛のパケットを受信した場合、ＭＳ２の現在位置に対応するＰＧＩＤ３２を位置登録データベース２３Ｂから取得し、ＭＳ２の現在ＰＧＩＤがＰＧ＃１の場合、ＰＧ＃１配下の全ＢＳ３(マクロＢＳ３Ａ)に対してＭＳ２のページング情報を送信するようにしたので、マクロＢＳ３Ａ及びフェムトＢＳ３Ｂを同一ＰＧに設定した場合に比較して、ページング情報送信に要するデータ配信量を大幅に軽減することができる。【０１４９】
また、実施例１では、ＭＳ２宛のパケットを受信した場合、ＭＳ２の現在位置に対応するＰＧＩＤ３２を位置登録データベース２３Ｂから取得し、取得したＭＳ２の現在ＰＧＩＤがＰＧ＃２の場合、このＭＳ２のラストＢＳＩＤ３３を位置登録データベース２３Ｂから取得し、取得したラストＢＳＩＤ３３のフェムトＢＳ３Ｂに対してのみ、ＭＳ２のページング情報を送信するようにしたので、マクロＢＳ３Ａ及びフェムトＢＳ３Ｂを同一ＰＧに設定した場合に比較して、ページング情報送信に要するデータ配信量を大幅に軽減しながら、安定したページング制御を実現することができる。また、ＰＧ＃２配下の全フェムトＢＳ３ＢにＭＳ２のページング情報を配信する必要はないため、無駄なページング情報の送信を回避し、フェムトＢＳ３Ｂによるインターネット５上のページング情報送信による帯域浪費を回避することができる。【０１５０】
実施例１では、地理的に隣接する複数のマクロＢＳ３ＡをＰＧ＃１に設定し、複数のフェムトＢＳ３Ｂを周辺のマクロＢＳ３Ａと異なるフェムトＢＳ３Ｂ共通のＰＧ＃２に設定するようにしたが、例えば、フェムトＢＳ３Ｂ共通のＰＧ＃２ではなく、フェムトＢＳ３Ｂを周辺のマクロＢＳ３Ａと異なるＰＧに夫々設定するようにしても良く、この場合でも、マクロＢＳ３Ａ及びフェムトＢＳ３Ｂを同一ＰＧに設定した場合に比較して、ページング情報送信に要するデータ配信量の大幅削減を図りながら、安定したページング制御を実現することができる。【０１５１】
また、実施例１では、地理的に隣接する複数のマクロＢＳ３ＡをＰＧ＃１に設定し、複数のフェムトＢＳ３Ｂを周辺のマクロＢＳ３Ａと異なるフェムトＢＳ３Ｂ共通のＰＧ＃２に設定するようにしたが、フェムトＢＳ３Ｂに周辺のマクロＢＳ３Ａと異なるＰＧを設定した場合、フェムトＢＳ３Ｂのカバー範囲がマクロＢＳ３Ａに比較して極めて狭く、しかも、ＭＳ２がマクロＢＳ３Ａ→フェムトＢＳ３Ｂ→マクロＢＳ３Ａを通過した場合、フェムトＢＳ３Ｂを通過する時間が僅かであるにも関わらず、その通過する度にＰＧ変化による位置登録更新が多発し、その結果、無線通信システム１側の位置登録更新に要する処理負担が大きくなるといった事態が考えられる。      
【実施例２】
【０１５２】
そこで、このような事態に対処した無線通信システムを実施例２として説明する。図９は、実施例２の無線通信システム内部の概略構成を示す説明図である。尚、図１に示す実施例１の無線通信システム１と同一の構成については同一符号を付すことで、その重複する構成及び動作の説明については省略する。【０１５３】
図９に示す無線通信システム１Ａでは、地理的に隣接する複数のマクロＢＳ３ＡにＰＧ＃１を設定し、複数のフェムトＢＳ３ＢにフェムトＢＳ３Ｂ共通のＰＧ＃２の他に、周辺のマクロＢＳ３Ａと同じＰＧを設定するようにした。【０１５４】
つまり、例えば、フェムトＢＳ３Ｂ“＃１”では、フェムトＢＳ３Ｂ共通のＰＧ＃２の他に、周辺マクロＢＳ３Ａ“＃１”及び“＃２”と同一のＰＧ＃１の２つのＰＧを設定するようにした。【０１５５】
次に、実施例２の無線通信システム１Ａの動作について説明する。図１０は、位置登録更新処理に関わる無線通信システム１Ａ内部の処理動作を示す動作シーケンス図である。【０１５６】
図１０に示す位置登録更新処理は、図９に示すように、アイドルモード中のＭＳ２がマクロＢＳ３Ａ“＃１”からフェムトＢＳ３Ｂ“＃１”経由でマクロＢＳ３Ａ“＃２”に移動する際を例に挙げ、ＭＳ２の位置情報をＡＳＮ−ＧＷ４内部の位置登録データベース２３Ｂに更新する処理である。【０１５７】
アイドルモード中のＭＳ２は、マクロＢＳ３Ａ“＃１”配下に存在し、位置登録更新を要求すべく、ＬＵ要求フラグを含むＲＮＧ−ＲＥＱをマクロＢＳ３Ａ“＃１”に送信する（ステップＳ７１）。尚、ＲＮＧ−ＲＥＱは、位置登録更新処理を要求するＬＵ要求フラグと、ＭＳ２に関わるＡＳＮ−ＧＷ４内のＰＣ部２４Ａを識別するＰＣＩＤとを含むメッセージである。【０１５８】
マクロＢＳ３Ａ“＃１”は、ＭＳ２からＲＮＧ−ＲＥＱを受信すると、ＲＮＧ−ＲＥＱ内のＰＣＩＤに関わるＰＣ部２４Ａを含むＡＳＮ−ＧＷ４に対してＬＵ−Ｒｅｑを送信する（ステップＳ７２）。【０１５９】
ＡＳＮ−ＧＷ４は、ＬＵ−Ｒｅｑを受信すると、位置登録データベース２３Ｂに登録中の現在のＰＧを識別する現在ＰＧＩＤ３２及び、最後に位置登録したＢＳ３を識別するラストＢＳＩＤ３３を更新する（ステップＳ７３）。尚、ＡＳＮ−ＧＷ４は、現在ＰＧＩＤ３２としてマクロＢＳ３Ａ“＃１”のＰＧ＃１、ラストＢＳＩＤ３３としてマクロＢＳ３Ａ“＃１”を位置登録データベース２３Ｂ内に更新するものである。【０１６０】
この際、ＡＳＮ−ＧＷ４は、そのＭＳ２宛のパケットを受信した場合、ＰＧ＃１配下のマクロＢＳ３Ａ及びフェムトＢＳ３Ｂに対して同ＭＳ２のページング情報の送信を指示することになる。【０１６１】
また、ＡＳＮ−ＧＷ４は、ＭＳ２の位置登録更新を検出すると、ＭＳ２が存在するＰＧ＃１のＰＧＩＤを含むＬＵ−ＲｓｐをマクロＢＳ３Ａ“＃１”に通知する（ステップＳ７４）。【０１６２】
マクロＢＳ３Ａ“＃１”は、ＬＵ−Ｒｓｐを受信すると、ＭＳ２が存在するＰＧ＃１のＰＧＩＤを含むＲＮＧ−ＲＳＰをＭＳ２に通知する（ステップＳ７５）。【０１６３】
その結果、ＭＳ２は、ＰＧ＃１のマクロＢＳ３Ａ配下に存在する限り、ＰＧ変化に起因する位置登録更新処理を実行する必要はないが、当然ながら、アイドルモードタイマのタイムアップに応じて位置登録更新処理を実行するものである。【０１６４】
ＭＳ２は、マクロＢＳ３Ａ“＃１”からフェムトＢＳ３Ｂ“＃１”配下に移動した場合、フェムトＢＳ３Ｂ“＃１”が広報するＰＧ＃１及びＰＧ＃２のＰＧＩＤを受信することになるため（ステップＳ７６）、同一ＰＧ間の移動のため位置登録更新要求を実行する必要はない。【０１６５】
また、ＭＳ２は、アイドルモードタイマがタイムアップすると（ステップＳ７７）、位置登録更新を要求すべく、ＬＵ要求フラグを含むＲＮＧ−ＲＥＱをフェムトＢＳ３Ｂ“＃１”に送信する（ステップＳ７８）。【０１６６】
フェムトＢＳ３Ｂ“＃１”は、ＭＳ２からＲＮＧ−ＲＥＱを受信すると、ＲＮＧ−ＲＥＱ内のＰＣＩＤに関わるＰＣ部２４Ａを含むＡＳＮ−ＧＷ４に対してＬＵ−Ｒｅｑを送信する（ステップＳ７９）。【０１６７】
ＡＳＮ−ＧＷ４は、ＬＵ−Ｒｅｑを受信すると、ＬＵ−Ｒｅｑを送信したフェムトＢＳ３Ｂ“＃１”がフェムトＢＳ３Ｂ共通のＰＧであるＰＧ＃２と周辺マクロＢＳ３Ａと同一のＰＧであるＰＧ＃１に属することを検知すると共に、位置登録要求のＭＳ２に対応した位置登録データベース２３Ｂに登録中の位置登録要求直前のＰＧを識別するＰＧＩＤ３２及び、最後に位置登録したＢＳ３を識別するラストＢＳＩＤ３３を取得する。【０１６８】
ＡＳＮ−ＧＷ４は、位置登録データベース２３Ｂから取得したラストＢＳＩＤ３３がＬＵ−Ｒｅｑを送信したフェムトＢＳ３Ｂ“＃１”以外のＢＳ３の場合、ＭＳ２がまだＰＧ＃１に存在し、最後の位置登録更新を実行したＢＳ３を識別するラストＢＳＩＤ３３を位置登録データベース２３Ｂに更新する（ステップＳ８０）。尚、ＡＳＮ−ＧＷ４は、現在ＰＧＩＤ３２としてＰＧ＃１、ラストＢＳＩＤ３３としてフェムトＢＳ３Ｂ“＃１”を位置登録データベース２３Ｂに更新するものである。【０１６９】
この際、ＡＳＮ−ＧＷ４は、そのＭＳ２宛のパケットを受信した場合、ＰＧ＃１配下のマクロＢＳ３Ａ及びフェムトＢＳ３Ｂに対して同ＭＳ２のページング情報の送信を指示することになる。【０１７０】
ＡＳＮ−ＧＷ４は、ＭＳ２の位置登録更新を検出すると、ＭＳ２が存在するＰＧ＃１のＰＧＩＤを含むＬＵ−ＲｓｐをフェムトＢＳ３Ｂ“＃１”に通知する（ステップＳ８１）。【０１７１】
フェムトＢＳ３Ｂ“＃１”は、ＬＵ−Ｒｓｐを受信すると、ＭＳ２が存在するＰＧ＃１のＰＧＩＤを含むＲＮＧ−ＲＳＰをＭＳ２に通知する（ステップＳ８２）。【０１７２】
さらに、ＭＳ２は、アイドルモードタイマがタイムアップすると（ステップＳ８３）、位置登録更新を要求すべく、ＬＵ要求フラグを含むＲＮＧ−ＲＥＱをフェムトＢＳ３Ｂ“＃１”に送信する（ステップＳ８４）。【０１７３】
フェムトＢＳ３Ｂ“＃１”は、ＭＳ２からＲＮＧ−ＲＥＱを受信すると、ＲＮＧ−ＲＥＱ内のＰＣＩＤに関わるＰＣ部２４Ａを含むＡＳＮ−ＧＷ４に対してＬＵ−Ｒｅｑを送信する（ステップＳ８５）。【０１７４】
ＡＳＮ−ＧＷ４は、ＬＵ−Ｒｅｑを受信すると、ＬＵ−Ｒｅｑを送信したフェムトＢＳ３Ｂ“＃１”がフェムトＢＳ３Ｂ共通のＰＧであるＰＧ＃２と周辺マクロＢＳ３Ａと同一のＰＧであるＰＧ＃１に属することを検知すると共に、位置登録要求のＭＳ２に対応した位置登録データベース２３Ｂに登録中の位置登録要求直前のＰＧを識別するＰＧＩＤ３２及び、最後に位置登録したＢＳ３を識別するラストＢＳＩＤ３３を取得する。【０１７５】
ＡＳＮ−ＧＷ４は、位置登録データベース２３Ｂから取得したラストＢＳＩＤ３３がＬＵ−Ｒｅｑを送信したフェムトＢＳ３Ｂ“＃１”の場合、ＭＳ２がＰＧ＃２配下に存在し、最後の位置登録更新を実行したＢＳ３をラストＢＳＩＤ３３として位置登録データベース２３Ｂに更新する（ステップＳ８６）。尚、ＡＳＮ−ＧＷ４は、現在ＰＧＩＤ３２としてＰＧ＃２、ラストＢＳＩＤ３３としてフェムトＢＳ３Ｂ“＃１”を位置登録データベース２３Ｂに更新するものである。【０１７６】
この際、ＡＳＮ−ＧＷ４は、そのＭＳ２宛のパケットを受信した場合、ＰＧ＃２配下のラストＢＳＩＤ３３のフェムトＢＳ３Ｂ“＃１”に対して同ＭＳ２のページング情報の送信を指示することになる。【０１７７】
ＡＳＮ−ＧＷ４は、ＭＳ２の位置登録更新を検出すると、ＭＳ２が存在するＰＧ＃２のＰＧＩＤを含むＬＵ−ＲｓｐをフェムトＢＳ３Ｂ“＃１”に通知する（ステップＳ８７）。【０１７８】
フェムトＢＳ３Ｂ“＃１”は、ＬＵ−Ｒｓｐを受信すると、ＭＳ２が存在するＰＧ＃２のＰＧＩＤを含むＲＮＧ−ＲＳＰをＭＳ２に通知する（ステップＳ８８）。【０１７９】
次に、ＭＳ２は、フェムトＢＳ３Ｂ“＃１”からマクロＢＳ３Ａ“＃２”配下に移動した場合（ステップＳ８９）、マクロＢＳ３Ａ“＃２”が広報するＰＧ＃１のＰＧＩＤを受信することになるため、ＰＧ＃２からＰＧ＃１に移動したものと判断し、位置登録更新を要求すべく、ＬＵ要求フラグを含むＲＮＧ−ＲＥＱをマクロＢＳ３Ａ“＃２”に送信する（ステップＳ９０）。【０１８０】
マクロＢＳ３Ａ“＃２”は、ＭＳ２からＲＮＧ−ＲＥＱを受信すると、ＲＮＧ−ＲＥＱ内のＰＣＩＤに関わるＰＣ部２４Ａを含むＡＳＮ−ＧＷ４に対してＬＵ−Ｒｅｑを送信する（ステップＳ９１）。【０１８１】
ＡＳＮ−ＧＷ４は、ＬＵ−Ｒｅｑを受信すると、位置登録データベース２３Ｂに登録中の現在のＰＧを識別する現在ＰＧＩＤ３２及び、最後に位置登録したＢＳ３を識別するラストＢＳＩＤ３３を更新する（ステップＳ９２）。尚、ＡＳＮ−ＧＷ４は、現在ＰＧＩＤ３２としてマクロＢＳ３Ａ“＃２”のＰＧ＃１、ラストＢＳＩＤ３３としてマクロＢＳ３Ａ“＃２”を位置登録データベース２３Ｂに更新するものである。【０１８２】
この際、ＡＳＮ−ＧＷ４は、そのＭＳ２宛のパケットを受信した場合、ＰＧ＃１配下の全マクロＢＳ３Ａ及びフェムトＢＳ３Ｂに対して同ＭＳ２のページング情報の送信を指示することになる。【０１８３】
ＡＳＮ−ＧＷ４は、ＭＳ２の位置登録更新を検出すると、ＭＳ２が存在するＰＧ＃１のＰＧＩＤを含むＬＵ−ＲｓｐをマクロＢＳ３Ａ“＃２”に通知する（ステップＳ９３）。【０１８４】
マクロＢＳ３Ａ“＃２”は、ＬＵ−Ｒｓｐを受信すると、ＭＳ２が存在するＰＧ＃１のＰＧＩＤを含むＲＮＧ−ＲＳＰをＭＳ２に通知する（ステップＳ９４）。【０１８５】
その結果、ＭＳ２は、ＰＧ＃１のマクロＢＳ３Ａ配下に存在する限り、ＰＧ変化に起因する位置登録更新処理を実行する必要はないが、当然ながら、アイドルモードタイマのタイムアップに応じて位置登録更新処理を実行するものである。【０１８６】
次に、位置登録更新処理に関わるＡＳＮ−ＧＷ４内部の動作について説明する。図１１は、位置登録更新処理に関わるＡＳＮ−ＧＷ４内部の処理動作を示すフローチャートである。【０１８７】
図１１に示すＡＳＮ−ＧＷ４は、ＢＳ３からＬＵ−Ｒｅｑを受信すると（ステップＳ１０１）、ＬＵ−Ｒｅｑを送信したＢＳ３のＰＧＩＤを取得する（ステップＳ１０２）。尚、ＰＧＩＤがフェムトＢＳ３Ｂ共通のＰＧＩＤ“＃２”であるか否かの判定は、ＢＳ３及びＰＧＩＤの対応関係を記憶したＰＧＩＤ管理テーブル２３Ａに対する検索処理、又はＢＳ３がＬＵ−Ｒｅｑ自体にＰＧＩＤを格納することで実行するものである。【０１８８】
ＡＳＮ−ＧＷ４は、ステップＳ１０２にて取得したＰＧＩＤに基づき、ＬＵ−ＲｅｑがフェムトＢＳ３Ｂから送信されたか否かを判定する（ステップＳ１０３）。【０１８９】
ＡＳＮ−ＧＷ４は、ＬＵ−ＲｅｑがフェムトＢＳ３Ｂから送信された場合（ステップＳ１０３肯定）、位置登録データベース２３ＢからＭＳ２のラストＢＳＩＤ３３を取得する（ステップＳ１０４）。【０１９０】
ＡＳＮ−ＧＷ４は、ＭＳ２のラストＢＳＩＤ３３がフェムトＢＳ３Ｂであるか否かを判定する（ステップＳ１０５）。【０１９１】
ＡＳＮ−ＧＷ４は、ラストＢＳＩＤ３３がフェムトＢＳ３Ｂの場合（ステップＳ１０５肯定）、フェムトＢＳ３Ｂ共通のＰＧＩＤ“＃２”を現在ＰＧＩＤ３２として位置登録データベース２３Ａに更新し（ステップＳ１０６）、そのＬＵ−Ｒｅｑを送信したＢＳ３のＢＳＩＤをラストＢＳＩＤ３３として位置登録データベース２３Ｂに更新する（ステップＳ１０７）。【０１９２】
ＡＳＮ−ＧＷ４は、ＰＧＩＤ及びアイドルモードパラメータ等の必要な情報を含むＬＵ−ＲｓｐをＬＵ−Ｒｅｑを送信したＢＳ３に返信し（ステップＳ１０８）、図１１に示す処理動作を終了する。【０１９３】
また、ＡＳＮ−ＧＷ４は、ＬＵ−ＲｅｑがフェムトＢＳ３Ｂから送信されたものでない場合（ステップＳ１０３否定）、又はラストＢＳＩＤ３３がフェムトＢＳ３Ｂでない場合（ステップＳ１０５否定）、フェムトＢＳ３Ｂ周辺のマクロＢＳ３Ａと判断し、そのマクロＢＳ３ＡのＰＧＩＤを現在ＰＧＩＤ３２として位置登録データベース２３Ｂに更新し（ステップＳ１０９）、そのＬＵ−Ｒｅｑを送信したＢＳ３のＢＳＩＤをラストＢＳＩＤ３３として位置登録データベース２３Ｂに更新すべく、ステップＳ１０７に移行する。【０１９４】
実施例２では、複数のＢＳ３の内、地理的に隣接関係のあるマクロＢＳ３ＡをＰＧ＃１、フェムトＢＳ３ＢをフェムトＢＳ３Ｂ共通のＰＧ＃２の他に、隣接するマクロＢＳ３Ａと同一のＰＧ＃１を設定し、ＰＧ内でＭＳ２の位置登録要求を検出すると、ＭＳ２の現在位置するＢＳ３のＰＧを識別するＰＧＩＤ３２及び、そのＭＳ２が最後に位置登録したＢＳ３のラストＢＳＩＤ３３を位置登録データベース２３Ｂに登録するようにしたので、フェムトＢＳ３Ｂのみに設定するＰＧ数の大幅削減を図ることで、フェムトＢＳ３Ｂに設定するＰＧの管理負担を大幅に軽減することができる。【０１９５】
また、実施例２では、ＬＵ−Ｒｅｑを送信したＢＳ３がフェムトＢＳ３Ｂ共通のＰＧＩＤ＃２の場合、位置登録データベース２３ＢからＭＳ２のラストＢＳＩＤ３３を取得し、ＭＳ２のラストＢＳＩＤ３３がフェムトＢＳ３Ｂの場合、フェムトＢＳ３Ｂ共通のＰＧＩＤ“＃２”を現在ＰＧＩＤ３２として、そのＬＵ−Ｒｅｑを送信したＢＳ３のＢＳＩＤをラストＢＳＩＤ３３として位置登録データベース２３Ｂに更新するようにしたので、ＭＳ２の位置情報を円滑に更新することができる。【０１９６】
また、実施例２では、ＬＵ−Ｒｅｑを送信したＢＳ３がフェムトＢＳ３Ｂ共通のＰＧＩＤ＃２でない場合、このＢＳ３(マクロＢＳ３Ａ)のＰＧＩＤを現在ＰＧＩＤ３２として、そのＢＳ３のＢＳＩＤをラストＢＳＩＤ３３として位置登録データベース２３Ｂに更新するようにしたので、ＭＳ２の位置情報を円滑に更新することができる。【０１９７】
また、実施例２では、ＬＵ−Ｒｅｑを送信したＢＳ３がフェムトＢＳ３Ｂ共通のＰＧＩＤ＃２の場合、位置登録データベース２３ＢからＭＳ２のラストＢＳＩＤ３３を取得し、ＭＳ２のラストＢＳＩＤ３３がフェムトＢＳ３Ｂでない場合、そのＢＳ３（マクロＢＳ３Ａ）のＰＧＩＤを現在ＰＧＩＤ３２として、そのＬＵ−Ｒｅｑを送信したＢＳ３のＢＳＩＤをラストＢＳＩＤ３３として位置登録データベース２３Ｂに更新するようにしたので、ＭＳ２の位置情報を円滑に更新することができる。【０１９８】
また、実施例２では、ＭＳ２宛のパケットを受信した場合、ＭＳ２の現在位置に対応するＰＧＩＤ３２を位置登録データベース２３Ｂから取得し、ＭＳ２の現在ＰＧＩＤがＰＧ＃１の場合、ＰＧ＃１配下の全ＢＳ３(マクロＢＳ３Ａ及びフェムトＢＳ３Ｂ)に対してＭＳ２のページング情報を送信するようにしたので、マクロＢＳ３Ａ及びフェムトＢＳ３Ｂを同一ＰＧに設定した場合に比較して、ページング情報送信に要するデータ配信量の大幅削減を図ることができる。【０１９９】
また、実施例２では、ＭＳ２宛のパケットを受信した場合、ＭＳ２の現在位置に対応するＰＧＩＤ３２を位置登録データベース２３Ｂから取得し、取得したＭＳ２の現在ＰＧＩＤがＰＧ＃２の場合、このＭＳ２のラストＢＳＩＤ３３を位置登録データベース２３Ｂから取得し、取得したラストＢＳＩＤ３３のフェムトＢＳ３Ｂに対してのみ、ＭＳ２のページング情報を送信するようにしたので、マクロＢＳ３Ａ及びフェムトＢＳ３Ｂを同一ＰＧに設定した場合に比較して、ページング情報送信に要するデータ配信量を大幅に削減しながら、安定したページング制御を実現することができる。また、ＰＧ＃２配下の全フェムトＢＳ３ＢにＭＳ２のページング情報を配信する必要はないため、無駄なページング情報の送信を回避し、フェムトＢＳ３Ｂによるインターネット５上のページング情報送信による帯域浪費を回避することができる。【０２００】
また、実施例２では、ＭＳ２がマクロＢＳ３Ａ→フェムトＢＳ３Ｂ→マクロＢＳ３Ａを通過した場合でも、マクロＢＳ３Ａ及びフェムトＢＳ３Ｂは同一ＰＧ＃１であるため、フェムトＢＳ３Ｂを通過するだけではＰＧ変化による位置登録更新も生じないため、無線通信システム１Ａ側の位置登録更新に要する処理負担を大幅に軽減することができる。その結果、ＭＳ２側では、その位置登録回数が減ることで、ＭＳ２の電力消費を軽減することができる。【０２０１】
尚、上記実施例２では、フェムトＢＳ３ＢがフェムトＢＳ３Ｂ共通のＰＧの他に、周辺のマクロＢＳ３Ａと同一のＰＧにも所属しているため、周辺マクロＢＳ３Ａの同一ＰＧ配下に存在する多数のＭＳ２に対するページング情報がフェムトＢＳ３Ｂにも送信されることになり、そのページング情報送信に要するデータ配信量の増大を招く事態も考えられる。      
【実施例３】
【０２０２】
そこで、このような事態に対処した無線通信システムにつき、実施例３として説明する。尚、図９に示す実施例２の無線通信システム１Ａと同一の構成については同一符号を付すことで、その重複する構成及び動作の説明については省略する。【０２０３】
実施例３の無線通信システム１Ｂでは、同一ＰＧ内にマクロＢＳ３Ａ及びフェムトＢＳ３Ｂが混在する場合、同一ＰＧ内に存在するＭＳ２であっても、同一ＰＧ内の全マクロＢＳ３Ａを通じてＭＳ２のページング情報を所定期間継続送信した後、所定期間内にページング情報に対する応答を検出しなかった場合、同一ＰＧ内のフェムトＢＳ３Ｂを通じてＭＳ２のページング情報を送信するものである。【０２０４】
図１２は、ページング処理に関わる実施例３の無線通信システム１Ｂ内部の処理動作を示す動作シーケンス図である。【０２０５】
図１２に示すページング処理は、フェムトＢＳ３Ｂ及びマクロＢＳ３Ａが混在する同一ＰＧ内でフェムトＢＳ３Ｂ配下のＭＳ２にページング情報を送信する際の処理である。【０２０６】
図１２に示すＡＳＮ−ＧＷ４は、アイドルモード中のＭＳ２宛へのパケットを受信した場合（ステップＳ１２１）、このＭＳ２に対応するＰＧＩＤ３２を位置登録データベース２３Ｂから検索する。【０２０７】
ＡＳＮ−ＧＷ４は、その検索結果に基づき、ＭＳ２に対応するＰＧＩＤ３２を取得すると、ＰＧＩＤ３２のＰＧ配下の全ＢＳ３の内、フェムトＢＳ３Ｂを除く全マクロＢＳ３Ａに対してページング情報の送信を指示するページング広報を送信する（ステップＳ１２２）。尚、ページング広報は、ページング対象のＭＳ２に関わる情報（ＭＳ２のＭＡＣアドレス、ページング周期及びページングオフセット等を含むページングパラメータ）に加え、ページング開始を示す開始コード及びページングを継続する時間を監視するページング監視タイマを含むものである。【０２０８】
また、ページング監視タイマのタイマ時間は、ＢＳ３がＭＳ２のページング情報（ＰＡＧ−ＡＤＶ）を送信する継続時間に相当するものである。すなわち、ページング監視タイマがタイムアップするまで、ページング周期でＭＳ２のページング情報（ＰＡＧ−ＡＤＶ）の送信を継続するものである。【０２０９】
各マクロＢＳ３Ａは、ステップＳ１２２にてＡＳＮ−ＧＷ４からページング広報を受信すると、ＭＳ２のページング情報（ＰＡＧ−ＡＤＶ）を配下ＭＳ２に送信する(ステップＳ１２３)。【０２１０】
尚、ＡＳＮ−ＧＷ４は、同一ＰＧ配下のＢＳ３に対するページング広報送信後、ＢＳ３による配下ＭＳ２へのページング情報（ＰＡＧ−ＡＤＶ）の送信、ＢＳ３によるページング情報に対するＲＮＧ−ＲＥＱの受信、ＢＳ３によるＲＮＧ−ＲＥＱに対するアイドルモード離脱要求の送信を監視するものである。【０２１１】
ＡＳＮ−ＧＷ４は、例えば、マクロＢＳ３Ａを通じてページング情報に対するＭＳ２の応答を検出した場合、停止コードを含むページング広報を同一ＰＧ内の全マクロＢＳ３Ａに送信することになる。【０２１２】
尚、ＡＳＮ−ＧＷ４は、停止コードを含むページング広報を同一ＰＧ内の全マクロＢＳ３Ａに送信するようにしたが、これら全マクロＢＳ３Ａの内、ＭＳ２からの応答を受信したマクロＢＳ３Ａを除外するようにしても良い。【０２１３】
一方、ＡＳＮ−ＧＷ４は、ステップＳ１２３にて同一ＰＧ内の全マクロＢＳ３Ａを通じてページング情報を配下のＭＳ２に送信した後、マクロＢＳ３Ａを通じて同ページング情報に対する応答を検出しなかった場合(ステップＳ１２４)、同一ＰＧ内のフェムトＢＳ３Ｂに対してページング広報を送信する(ステップＳ１２５)。尚、ページング広報は、マクロＢＳ３Ａに配信したページング広報の内、マクロＢＳ３Ａを介して応答のあったＭＳ２の情報を除いた内容である。【０２１４】
フェムトＢＳ３Ｂは、ステップＳ１２５にてページング広報を受信すると、そのページング情報（ＰＡＧ−ＡＤＶ）を配下ＭＳ２に送信する(ステップＳ１２６)。【０２１５】
フェムトＢＳ３Ｂは、ページング情報に対するＭＳ２からの応答に相当するＲＮＧ−ＲＥＱを受信した場合(ステップＳ１２７)、アイドルモード離脱要求をＡＳＮ−ＧＷ４に通知する(ステップＳ１２８)。【０２１６】
ＡＳＮ−ＧＷ４は、アイドルモード離脱要求を受信すると、アイドルモード離脱要求に対してアイドルモード離脱応答をフェムトＢＳ３Ｂに通知する(ステップＳ１２９)。【０２１７】
フェムトＢＳ３Ｂは、アイドルモード離脱応答を受信すると、ＲＮＧ−ＲＥＱに応答するＲＮＧ−ＲＳＰをＭＳ２に通知し(ステップＳ１３０)、ＭＳ２との通信を開始する。【０２１８】
さらに、ＡＳＮ−ＧＷ４は、アイドルモード離脱応答をフェムトＢＳ３Ｂに送信した後、ページング停止を示す停止コードを含むページング広報をフェムトＢＳ３Ｂ及びマクロＢＳ３Ａに通知し（ステップＳ１３１及び１３２）、図１２に示す処理動作を終了する。【０２１９】
尚、同一ＰＧ内のマクロＢＳ３Ａ及びフェムトＢＳ３Ｂは、停止コードを含むページング広報を受信すると、配下ＭＳ２へのページング情報（ＰＡＧ−ＡＤＶ）の送信を停止するものである。【０２２０】
ＡＳＮ−ＧＷ４は、フェムトＢＳ３Ｂに対してＭＳ２を呼び出すページング情報（ＰＡＧ−ＡＤＶ）の送信回数をページング広報内の開始コードに含むページング監視タイマを短めに設定し、例えば、１回又は２回等に制限することで、停止コードを含むページング広報による送信停止を省略化するようにしても良く、この場合、フェムトＢＳ３Ｂを制御するための更なるメッセージ送信を防止することができる。【０２２１】
また、フェムトＢＳ３Ｂに対して開始コードを含むページング広報を送信するＡＳＮ−ＧＷ４側の開始タイミングは、マクロＢＳ３Ａに対するページング広報の送信後、マクロＢＳ３Ａ経由でページング情報に対するＭＳ２側の応答に伴うアイドル離脱要求をＡＳＮ−ＧＷ４側で十分に受信できるまでの時間経過後に相当するものである。【０２２２】
尚、ＡＳＮ−ＧＷ４とＢＳ３との同期が必要となるが、両者の同期がないシステムでは、ＢＳ３が最初にページング情報（ＰＡＧ−ＡＤＶ）を送信した後、ＡＳＮ−ＧＷ４に、そのページング情報（ＰＡＧ−ＡＤＶ）の送信を通知するメッセージを送信するようにしても良い。【０２２３】
また、ＢＳ３が最初にページング情報（ＰＡＧ−ＡＤＶ）を配下ＭＳ２に広報する時間を正確に検知できない場合、ＡＳＮ−ＧＷ４は、ＢＳ３に対して開始コードを含むページング広報を送信した後、ページング周期に相当する時間とＡＳＮ−ＧＷ４からＭＳ２までのラウンドトリップ時間に相当する時間とを合計した時間経過後にフェムトＢＳ３Ｂに対する開始コードを含むページング広報を送信するものである。尚、ラウンドトリップ時間は、ＡＳＮ−ＧＷ４側のＢＳ３へのページング広報送信、ＢＳ３側のＭＳ２へのページング情報（ＰＡＧ−ＡＤＶ）送信、ＢＳ３側のＭＳ２のＲＮＧ−ＲＥＱ受信、ＡＳＮ−ＧＷ４側のＢＳ３からのアイドルモード離脱要求の受信までの時間に相当するものである。【０２２４】
次に、ページング処理に関わるＡＳＮ−ＧＷ４内部の動作について説明する。図１３は、ページング処理に関わるＡＳＮ−ＧＷ４内部の処理動作を示すフローチャートである。【０２２５】
図１３に示すページング処理は、開始コード又は停止コードを含むページング広報に基づき、マクロＢＳ３Ａ又はフェムトＢＳ３Ｂのページング情報（ＰＡＧ−ＡＤＶ）を送信するＡＳＮ−ＧＷ４側の処理である。尚、ＡＳＮ−ＧＷ４は、フェムトＢＳ３Ｂに対して開始コードを含むページング広報を送信するタイミングとして、マクロＢＳ３Ａに対して開始コードを含むページング広報の送信後、ページング周期に相当する時間とＡＳＮ−ＧＷ４からＭＳ２までのラウンドトリップ時間に相当する時間とを合計した時間経過後の場合の例を示している。【０２２６】
図１３に示すＡＳＮ−ＧＷ４は、アイドルモード中のＭＳ２宛のパケットを受信した場合(ステップＳ１３１)、そのパケットのヘッダに含まれるＩＰアドレスに基づきパケット送信先となるＭＳ２を特定し、この特定したＭＳ２が存在する現在ＰＧＩＤを位置登録データベース２３Ｂから取得する(ステップＳ１３２)。【０２２７】
ＡＳＮ−ＧＷ４は、ＰＧ内の全ＢＳ３の内、フェムトＢＳ３Ｂを除くマクロＢＳ３Ａに対して、ＭＳ２のページング情報（ＰＡＧ−ＡＤＶ）の送信開始を指示する開始コードを含むページング広報を送信し(ステップＳ１３３)、ページング監視タイマの計時動作を開始する(ステップＳ１３４)。【０２２８】
ＡＳＮ−ＧＷ４は、ページング監視タイマがタイムアップするまで、マクロＢＳ３Ａ経由でＭＳ２からのページング情報に対する応答（ＲＮＧ−ＲＥＱ）を監視する(ステップ１３５)。【０２２９】
ＡＳＮ−ＧＷ４は、マクロＢＳ３Ａ経由でＭＳ２からのページング情報に対する応答（ＲＮＧ−ＲＥＱ）を受信した場合(ステップＳ１３６)、同一ＰＧ内の全ＢＳ３の内、フェムトＢＳ３Ｂを除くマクロＢＳ３Ａに対して停止コードを含むページング広報を送信した後（ステップＳ１３７）、図１３に示す処理動作を終了する。【０２３０】
また、ＡＳＮ−ＧＷ４は、ステップＳ１３５のページング情報に対する応答監視中に、ページング監視タイマがタイムアップした場合(ステップＳ１３８)、同一ＰＧ内のフェムトＢＳ３Ｂに対して、応答のなかったＭＳ２のページング情報（ＰＡＧ−ＡＤＶ）の送信開始を指示する開始コードを含むページング広報を送信する(ステップＳ１３９)。【０２３１】
ＡＳＮ−ＧＷ４は、フェムトＢＳ３Ｂに対して開始コードを含むページング広報を送信した後、同一ＰＧ内のマクロＢＳ３Ａ又はフェムトＢＳ３ＢからＭＳ２のページング情報に対する応答を監視し(ステップ１４０)、マクロＢＳ３Ａ又はフェムトＢＳ３Ｂ経由でページング情報に対するＭＳ２の応答を受信した場合(ステップＳ１４１)、ページング情報（ＰＡＧ−ＡＤＶ）の送信を停止指示する停止コードを含むページング広報を同一ＰＧ内のマクロＢＳ３Ａ及びフェムトＢＳ３Ｂに送信した後（ステップＳ１４２）、図１３に示す処理動作を終了する。【０２３２】
実施例３では、マクロＢＳ３Ａ及びフェムトＢＳ３Ｂが混在する同一ＰＧ内に存在するＭＳ２へのパケットを受信した場合、同一ＰＧ内の全ＢＳ３の内、フェムトＢＳ３Ｂを除く、全マクロＢＳ３Ａを通じてＭＳ２のページング情報を送信した後、ページング監視タイマのタイマ時間内にページング情報に対する応答がなかった場合、同一ＰＧ内のフェムトＢＳ３Ｂに対するＭＳ２のページング情報を送信するようにした。その結果、マクロＢＳ３Ａ及びフェムトＢＳ３Ｂが混在する同一ＰＧ内のＭＳ２へのパケットを受信した場合でも、フェムトＢＳ３Ｂに対する無駄なページング情報の送信を極力回避することで、ページング情報送信に要するデータ配信量の大幅削減を図りながら、フェムトＢＳ３Ｂによるインターネット５上のページング情報送信による帯域浪費を回避することができる。【０２３３】
実施例３では、ページング監視タイマのタイマ時間を、マクロＢＳ３Ａを通じてＭＳ２のページング情報の送信後、ＭＳ２のページング情報に対する応答をマクロＢＳ３Ａ経由で認識できるまでの期間に相当するようにしたので、マクロＢＳ３Ａは、少なくとも、そのタイマ時間中、ＭＳ２のページング情報に対する応答を監視することができる。【０２３４】
尚、実施例３では、ＡＳＮ−ＧＷ４との遅延が短いマクロＢＳ３Ａに応じて、マクロＢＳ３Ａを通じてＭＳ２のページング情報を周期的に送信する送信継続期間を設定すると共に、ＡＳＮ−ＧＷ４との遅延が長いフェムトＢＳ３Ｂに応じて、フェムトＢＳ３Ｂを通じてＭＳ２のページング情報を周期的に送信する送信継続期間を設定するようにしても良く、この場合、マクロＢＳ３Ａ及びフェムトＢＳ３Ｂの特性に応じたページング情報のタイムアウト時間を設定することができる。【０２３５】
以上、本発明の実施例について説明したが、本実施例によって本発明の技術的思想の範囲が限定されるものではなく、特許請求の範囲に記載した技術的思想の範囲を逸脱しない限り、各種様々な実施例が実施可能であることは言うまでもない。また、本実施例に記載した効果は、これに限定されるものではない。【０２３６】
また、本実施例で説明した各種処理の内、自動的に行われるものとして説明した処理の全部又は一部を手動で行うことも可能であることは勿論のこと、その逆に、手動で行われるものとして説明した処理の全部又は一部を自動で行うことも可能であることは言うまでもない。また、本実施例で説明した処理手順、制御手順、具体的名称、各種データやパラメータを含む情報についても、特記した場合を除き、適宜変更可能であることは言うまでもない。【０２３７】
また、図示した各装置の各構成要素は機能概念的に記載したものであって、必ずしも物理的に図示のように構成されるものではなく、その各装置の具体的な態様は図示のものに限縮されるものでは到底ないことは言うまでもない。【０２３８】
さらに、各装置で行われる各種処理機能は、ＣＰＵ（Ｃｅｎｔｒａｌ  Ｐｒｏｃｅｓｓｉｎｇ  Ｕｎｉｔ）（又はＭＰＵ（Ｍｉｃｒｏ  Ｐｒｏｃｅｓｓｉｎｇ  Ｕｎｉｔ）、ＭＣＵ（Ｍｉｃｒｏ  Ｃｏｎｔｒｏｌｌｅｒ  Ｕｎｉｔ）等のマイクロ・コンピュータ）上、又は同ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【図１】
2010044140.tif 000003
【図２】
2010044140.tif 000004
【図３】
2010044140.tif 000005
【図４】
2010044140.tif 000006
【図５】
2010044140.tif 000007
【図６】
2010044140.tif 000008
【図７】
2010044140.tif 000009
【図８】
2010044140.tif 000010
【図９】
2010044140.tif 000011
【図１０】
2010044140.tif 000012
【図１１】
2010044140.tif 000013
【図１２】
2010044140.tif 000014
【図１３】
2010044140.tif 000015
【図１４】
2010044140.tif 000016
【図１５】
2010044140.tif 000017
【図１６】
2010044140.tif 000018
【図１７】
2010044140.tif 000019
【図１８】
2010044140.tif 000020
【図１９】
2010044140.tif 000021
【図２０】
2010044140.tif 000022
【手続補正書】
【提出日】平成22年12月13日(2010.12.13)
【手続補正１】
【補正対象書類名】特許請求の範囲
【補正対象項目名】全文
【補正方法】変更
【補正の内容】
【特許請求の範囲】
【請求項１】
無線端末を無線収容する複数の無線基地局を通信制御する通信制御装置であって、
複数の無線基地局の内、通常基地局に設定する通常グループ及び、前記複数の無線基地局の内、前記通常基地局と異なる特定基地局に設定する特定グループを設定するグループ設定部と、
前記無線端末の現在位置に対応する前記無線基地局のグループを識別するグループ識別情報及び、前記無線端末が最後に位置登録した無線基地局を識別する最終基地局識別情報を前記無線端末毎に管理する位置登録管理部と、
前記無線端末宛のデータを受信すると、この無線端末に対応する前記グループ識別情報を前記位置登録管理部から取得し、取得したグループ識別情報が前記通常グループの場合、前記通常グループ内の全通常基地局を通じて前記無線端末のページング情報を送信すると共に、前記無線端末宛のデータを受信すると、前記無線端末に対応する前記グループ識別情報を前記位置登録管理部から取得し、取得したグループ識別情報が前記特定グループの場合、前記無線端末に対応する前記最終基地局識別情報を前記位置登録管理部から取得し、取得した最終基地局識別情報の特定基地局を通じて前記無線端末のページング情報を送信するページング制御部と
を有することを特徴とする通信制御装置。 
【請求項２】
前記無線端末は、
現在位置する無線基地局を識別する基地局識別情報を検出し、この検出した基地局識別情報に基づき、この無線端末が新しい無線基地局に移動したことを検出し、
前記特定グループ内の前記無線基地局から同一特定グループ内の他の無線基地局への移動を検出した場合、位置登録要求を前記無線基地局に送信することを特徴とする請求項１記載の通信制御装置。 
【請求項３】
前記グループ設定部は、
前記特定基地局に対して前記特定グループと同時に、この特定基地局と地理的に隣接する前記通常基地局の前記通常グループを設定し、
前記通信制御装置は、
前記無線端末の位置登録要求を送信した前記無線基地局が前記特定基地局の場合で、かつ、前記無線端末の最終位置登録した無線基地局が前記特定基地局の場合、前記無線端末が前記特定グループ内の無線基地局に属するものとして位置登録すると共に、
前記無線端末の位置登録要求を送信した無線基地局が前記特定基地局でない場合、又は、前記無線端末の位置登録要求を送信した無線基地局が前記特定基地局の場合で、かつ、前記無線端末の最終位置登録した無線基地局が前記特定基地局でない場合、前記無線端末が前記通常グループ内の無線基地局に属するものとして位置登録する位置登録部を有することを特徴とする請求項１記載の通信制御装置。 
【請求項４】
前記ページング制御部は、
前記通常基地局及び前記特定基地局が混在するグループ内の無線基地局配下の無線端末宛のデータを受信すると、同グループ内の全無線基地局の内、前記特定基地局を除く、全通常基地局を通じて前記無線端末のページング情報を送信し、所定期間内に前記無線端末への応答を検出しなかった場合、前記グループ内の特定基地局を通じて前記無線端末のページング情報を送信することを特徴とする請求項３記載の通信制御装置。 
【請求項５】
前記所定期間は、
前記通常基地局を通じて前記無線端末のページング情報の送信後、前記無線端末の前記ページング情報に対する応答を前記通常基地局経由で認識できるまでの期間に相当することを特徴とする請求項４記載の通信制御装置。 
【請求項６】
前記通常基地局を通じて前記無線端末のページング情報を周期的に送信する送信継続期間の長さと、前記特定基地局を通じて前記無線端末のページング情報を周期的に送信する送信継続期間の長さとを異なるように設定したことを特徴とする請求項５記載の通信制御装置。 
【請求項７】
前記特定基地局は、
前記通常基地局とは異なるネットワーク経由で接続することを特徴とする請求項１〜６の何れか一に記載の通信制御装置。 
【請求項８】
無線端末を無線収容する複数の無線基地局を通信制御する通信制御方法であって、
複数の無線基地局の内、通常基地局に設定する通常グループ及び、前記複数の無線基地局の内、前記通常基地局と異なる特定基地局に設定する特定グループを設定するグループ設定ステップと、
前記無線端末の現在位置に対応する前記無線基地局のグループを識別するグループ識別情報及び、前記無線端末が最後に位置登録した無線基地局を識別する最終基地局識別情報を前記無線端末毎に位置登録管理部に管理する位置登録管理ステップと、
前記無線端末宛のデータを受信すると、この無線端末に対応する前記グループ識別情報を前記位置登録管理部から取得し、取得したグループ識別情報が前記通常グループの場合、前記通常グループ内の全通常基地局を通じて前記無線端末のページング情報を送信すると共に、前記無線端末宛のデータを受信すると、前記無線端末に対応する前記グループ識別情報を前記位置登録管理部から取得し、取得したグループ識別情報が前記特定グループの場合、前記無線端末に対応する前記最終基地局識別情報を前記位置登録管理部から取得し、取得した最終基地局識別情報の特定基地局を通じて前記無線端末のページング情報を送信するページング制御ステップと
を含むことを特徴する通信制御方法。 
【請求項９】
無線端末を無線収容する複数の無線基地局を通信制御する通信制御プログラムであって、
複数の無線基地局の内、通常基地局に設定する通常グループ及び、前記複数の無線基地局の内、前記通常基地局と異なる特定基地局に設定する特定グループを設定するグループ設定手順と、
前記無線端末の現在位置に対応する前記無線基地局のグループを識別するグループ識別情報及び、前記無線端末が最後に位置登録した無線基地局を識別する最終基地局識別情報を前記無線端末毎に位置登録管理部に管理する位置登録管理手順と、
前記無線端末宛のデータを受信すると、この無線端末に対応する前記グループ識別情報を前記位置登録管理部から取得し、取得したグループ識別情報が前記通常グループの場合、前記通常グループ内の全通常基地局を通じて前記無線端末のページング情報を送信すると共に、前記無線端末宛のデータを受信すると、前記無線端末に対応する前記グループ識別情報を前記位置登録管理部から取得し、取得したグループ識別情報が前記特定グループの場合、前記無線端末に対応する前記最終基地局識別情報を前記位置登録管理部から取得し、取得した最終基地局識別情報の特定基地局を通じて前記無線端末のページング情報を送信するページング制御手順と
を含む処理プログラムをコンピュータ装置に実行させることを特徴とする通信制御プログラム。
【国際調査報告】
2010044140.tif 000023
2010044140.tif 000024